(57)【要約】  本発明は、サイドリンクの複数回の伝送に使用されるリソースを決定でき、データ伝送の信頼性を提供するのに有利な車両インターネットにおけるデータ伝送方法及び端末デバイスを提供する。この方法は、端末デバイスが、ネットワークデバイスにより送信された第１の制御情報を受信するステップと、前記端末デバイスが、前記第１の制御情報に従ってサイドリンクの複数回の伝送に使用されるリソースを決定するステップと、を含み、前記第１の制御情報は、前記サイドリンクの複数回の伝送に使用されるリソース情報を決定するために使用される。
2021533596.tif 000002
【特許請求の範囲】
【請求項１】
端末デバイスが、ネットワークデバイスにより送信された第１の制御情報を受信するステップと、
前記端末デバイスが、前記第１の制御情報に従ってサイドリンクの複数回の伝送に使用されるリソースを決定するステップと、を含み、
前記第１の制御情報は、前記サイドリンクの複数回の伝送に使用されるリソース情報を決定するために使用される
ことを特徴とする車両インターネットにおけるデータ伝送方法。
【請求項２】
前記サイドリンクの複数回の伝送に使用されるリソース情報は、前記サイドリンクの複数回の伝送に使用される時間領域リソース情報及び／又は周波数領域リソース情報を含む
ことを特徴とする請求項１に記載のデータ伝送方法。
【請求項３】
前記第１の制御情報は第１のビットマップを含み、前記第１のビットマップは、前記サイドリンクの複数回の伝送の時間領域リソースを決定するために使用され、前記第１のビットマップ内の各ビットはシステム内の少なくとも１つの時間ユニットに対応し、前記第１のビットマップ内の各ビットの値は、前記各ビットに対応する時間ユニットがサイドリンク伝送に使用できるか否かを決定するために使用され、
前記端末デバイスが、前記第１の制御情報に従って前記サイドリンクの複数回の伝送に使用されるリソースを決定するステップは、
前記端末デバイスが、前記第１のビットマップの各ビットに対応する時間ユニットのうち、サイドリンク伝送に使用できる時間ユニットを前記サイドリンクの複数回の伝送に使用される時間領域リソースとして決定するステップを含む
ことを特徴とする請求項２に記載のデータ伝送方法。
【請求項４】
前記第１の制御情報は第１の構成情報を含み、前記第１の構成情報は、前記複数回の伝送における２回の隣接する伝送間の時間オフセットを決定するために使用され、
前記端末デバイスが、前記第１の制御情報に従って前記サイドリンクの複数回の伝送に使用されるリソースを決定するステップは、
前記端末デバイスが、前記複数回の伝送における最初の伝送の時間領域リソース情報、前記複数回の伝送の伝送回数、及び前記２回の隣接する伝送間の時間オフセットに従って、前記複数回の伝送における毎回の伝送に使用される時間領域リソースを決定するステップを含む
ことを特徴とする請求項２に記載のデータ伝送方法。
【請求項５】
前記最初の伝送の時間領域リソース情報は、前記第１の制御情報に従って決定されるか、又は前記端末デバイス上に事前構成されるか、又はネットワークデバイスにより構成され、前記伝送回数の情報は、前記第１の制御情報に従って決定されるか、又は前記端末デバイス上に事前構成されるか、又はネットワークデバイスにより構成される
ことを特徴とする請求項４に記載のデータ伝送方法。
【請求項６】
前記第１の制御情報は第１のインデックス情報を含み、前記第１のインデックス情報は、前記複数回の伝送における毎回の伝送に対応する時間領域リソース情報を指示するために使用される
ことを特徴とする請求項２に記載のデータ伝送方法。
【請求項７】
前記端末デバイスが、前記第１の制御情報に従って前記サイドリンクの複数回の伝送に使用されるリソースを決定するステップは、
前記端末デバイスが、前記第１のインデックス情報及び第１の対応関係に従って前記複数回の伝送に使用される時間領域リソースを決定するステップを含み、
ここで、前記第１の対応関係は、インデックス情報と時間領域リソース情報の対応関係である
ことを特徴とする請求項６に記載のデータ伝送方法。
【請求項８】
前記端末デバイスが、前記第１のインデックス情報に従って前記複数回の伝送の伝送回数を決定するステップをさらに含み、
前記第１のインデックス情報に対応する時間領域リソースは、前記複数回の伝送に使用される時間ユニットである
ことを特徴とする請求項７に記載のデータ伝送方法。
【請求項９】
前記第１の制御情報は第２の構成情報を含み、前記第２の構成情報は、前記複数回の伝送における毎回の伝送の特定の境界に対する時間オフセット情報を決定するために使用され、
前記端末デバイスが、前記第１の制御情報に従って前記サイドリンクの複数回の伝送に使用されるリソースを決定するステップは、
前記端末デバイスが、前記特定の境界を基準として、前記毎回の伝送の前記特定の境界に対する時間オフセットに従って前記毎回の伝送に使用される時間領域リソースを決定するステップを含む
ことを特徴とする請求項２に記載のデータ伝送方法。
【請求項１０】
前記特定の境界は、前記第１の制御情報を運ぶ時間ユニットに従って決定される時間ユニット、又は現在の無線フレームの最初の時間ユニット、又は現在の無線フレーム周期の最初の時間ユニットである
ことを特徴とする請求項９に記載のデータ伝送方法。
【請求項１１】
前記第１の制御情報は第２のビットマップを含み、前記第２のビットマップは、前記サイドリンクの複数回の伝送の周波数領域リソースを決定するために使用され、前記第２のビットマップ内の各ビットはシステム内の少なくとも１つの周波数領域ユニットに対応し、前記第２のビットマップ内の各ビットの値は、前記各ビットに対応する周波数領域ユニットがサイドリンク伝送に使用できるか否かを決定するために使用される
ことを特徴とする請求項２〜１０のいずれか１項に記載のデータ伝送方法。
【請求項１２】
前記端末デバイスが、前記第１の制御情報に従って前記サイドリンクの複数回の伝送に使用されるリソースを決定するステップは、
前記端末デバイスが、前記第２のビットマップの各ビットに対応する周波数領域ユニットのうち、サイドリンク伝送に使用できる周波数領域ユニットを前記サイドリンクの複数回の伝送に使用される周波数領域リソースとして決定するステップを含む
ことを特徴とする請求項１１に記載のデータ伝送方法。
【請求項１３】
前記第１の制御情報は第３の構成情報を含み、前記第３の構成情報は、前記サイドリンクの複数回の伝送における毎回の伝送の周波数領域リソース長さ情報を決定するために使用される
ことを特徴とする請求項２〜１０のいずれか１項に記載のデータ伝送方法。
【請求項１４】
前記第１の制御情報は第４の構成情報を含み、前記第４の構成情報は、前記複数回の伝送における毎回の伝送の周波数領域開始位置を決定するために使用され、
前記端末デバイスが、前記第１の制御情報に従って前記サイドリンクの複数回の伝送に使用されるリソースを決定するステップは、
前記端末デバイスが、前記第３の構成情報に従って前記サイドリンクの複数回の伝送における毎回の伝送の周波数領域リソース長さ情報を決定し、及び前記第４の構成情報に従って前記複数回の伝送における毎回の伝送の周波数領域開始位置を決定するステップと、
前記端末デバイスが、前記複数回の伝送における毎回の伝送の周波数領域開始位置及び周波数領域リソース長さ情報に従って、前記複数回の伝送における毎回の伝送の周波数領域リソースを決定するステップと、を含む
ことを特徴とする請求項１３に記載のデータ伝送方法。
【請求項１５】
前記第１の制御情報は第３のビットマップを含み、前記第３のビットマップ内の各ビットはシステム内の少なくとも１つの周波数領域ユニットに対応し、前記第３のビットマップで第１の値を取るビット数は、前記複数回の伝送の伝送回数を決定するために使用され、前記第３のビットマップで前記第１の値を取るビットに対応する周波数領域ユニットは、前記複数回の伝送における毎回の伝送の周波数領域開始位置を決定するために使用される
ことを特徴とする請求項１３に記載のデータ伝送方法。
【請求項１６】
前記端末デバイスが、前記第１の制御情報に従って前記サイドリンクの複数回の伝送に使用されるリソースを決定するステップは、
前記端末デバイスが、前記第３の構成情報に従って前記サイドリンクの複数回の伝送における毎回の伝送の周波数領域リソース長さ情報を決定するステップと、
前記端末デバイスが、前記第３のビットマップで前記第１の値を取るビット数を前記複数回の伝送の伝送回数として決定し、前記第３のビットマップで前記第１の値を取るビットに対応する周波数領域ユニットを前記複数回の伝送における毎回の伝送の周波数領域開始位置として決定するステップと、
前記端末デバイスが、前記複数回の伝送の伝送回数、及び前記複数回の伝送における毎回の伝送の周波数領域開始位置及び周波数領域リソース長さ情報に従って、前記複数回の伝送における毎回の伝送の周波数領域リソースを決定するステップと、を含む
ことを特徴とする請求項１５に記載のデータ伝送方法。
【請求項１７】
前記第１の制御情報は第５の構成情報を含み、前記第５の構成情報は、前記複数回の伝送における２回の隣接する伝送間の周波数領域開始位置オフセットを決定するために使用され、
前記端末デバイスが、前記第１の制御情報に従って前記サイドリンクの複数回の伝送に使用されるリソースを決定するステップは、
前記端末デバイスが、前記複数回の伝送における最初の伝送の周波数領域開始位置、前記複数回の伝送の伝送回数、及び前記２回の隣接する伝送間の周波数領域開始位置オフセットに従って、前記複数回の伝送における毎回の伝送の周波数領域リソースを決定するステップを含む
ことを特徴とする請求項２〜１０のいずれか１項に記載のデータ伝送方法。
【請求項１８】
前記最初の伝送の周波数領域開始位置は、前記第１の制御情報に従って決定されるか、又は前記端末デバイス上に事前構成されるか、又はネットワークデバイスにより構成され、あるいは、
前記伝送回数の情報は、前記第１の制御情報に従って決定されるか、又は前記端末デバイス上に事前構成されるか、又はネットワークデバイスにより構成される
ことを特徴とする請求項１７に記載のデータ伝送方法。
【請求項１９】
前記第１の制御情報は第６の構成情報を含み、前記第６の構成情報はＮ個のリソース指示値（ＲＩＶ）を含み、前記Ｎ個のＲＩＶは、前記複数回の伝送の周波数領域開始位置及び／又は周波数領域長さを決定するために使用され、
前記端末デバイスが、前記第１の制御情報に従って前記サイドリンクの複数回の伝送に使用されるリソースを決定するステップは、
前記端末デバイスが、前記Ｎ個のリソース指示値に従って前記複数回の伝送の周波数領域リソースを決定するステップを含み、
ここで、Ｎは前記複数回の伝送の総回数である
ことを特徴とする請求項２〜１０のいずれか１項に記載のデータ伝送方法。
【請求項２０】
前記第１の制御情報はダウンリンク制御情報（ＤＣＩ）であり、前記サイドリンクはサイドリンク制御チャネル（ＰＳＣＣＨ）及び／又はサイドリンク共有チャネル（ＰＳＳＣＨ）を含む
ことを特徴とする請求項１〜１９のいずれか１項に記載のデータ伝送方法。
【請求項２１】
ネットワークデバイスにより送信された第１の制御情報を受信するための通信モジュールと、
前記第１の制御情報に従ってサイドリンクの複数回の伝送に使用されるリソースを決定するための決定モジュールと、を備え、
前記第１の制御情報は、前記サイドリンクの複数回の伝送に使用されるリソース情報を決定するために使用される
ことを特徴とする端末デバイス。
【請求項２２】
前記サイドリンクの複数回の伝送に使用されるリソース情報は、前記サイドリンクの複数回の伝送に使用される時間領域リソース情報及び／又は周波数領域リソース情報を含む
ことを特徴とする請求項２１に記載の端末デバイス。
【請求項２３】
前記第１の制御情報は第１のビットマップを含み、前記第１のビットマップは、前記サイドリンクの複数回の伝送の時間領域リソースを決定するために使用され、前記第１のビットマップ内の各ビットはシステム内の少なくとも１つの時間ユニットに対応し、前記第１のビットマップ内の各ビットの値は、前記各ビットに対応する時間ユニットがサイドリンク伝送に使用できるか否かを決定するために使用され、
前記決定モジュールはさらに、
前記第１のビットマップの各ビットに対応する時間ユニットのうち、サイドリンク伝送に使用できる時間ユニットを前記サイドリンクの複数回の伝送に使用される時間領域リソースとして決定するために使用される
ことを特徴とする請求項２２に記載の端末デバイス。
【請求項２４】
前記第１の制御情報は第１の構成情報を含み、前記第１の構成情報は、前記複数回の伝送における２回の隣接する伝送間の時間オフセットを決定するために使用され、
前記決定モジュールはさらに、
前記複数回の伝送における最初の伝送の時間領域リソース情報、前記複数回の伝送の伝送回数、及び前記２回の隣接する伝送間の時間オフセットに従って、前記複数回の伝送における毎回の伝送に使用される時間領域リソースを決定するために使用される
ことを特徴とする請求項２２に記載の端末デバイス。
【請求項２５】
前記最初の伝送の時間領域リソース情報は、前記第１の制御情報に従って決定されるか、又は前記端末デバイス上に事前構成されるか、又はネットワークデバイスにより構成され、前記伝送回数の情報は、前記第１の制御情報に従って決定されるか、又は前記端末デバイス上に事前構成されるか、又はネットワークデバイスにより構成される
ことを特徴とする請求項２４に記載の端末デバイス。
【請求項２６】
前記第１の制御情報は第１のインデックス情報を含み、前記第１のインデックス情報は、前記複数回の伝送における毎回の伝送に対応する時間領域リソース情報を指示するために使用される
ことを特徴とする請求項２２に記載の端末デバイス。
【請求項２７】
前記決定モジュールはさらに、
前記第１のインデックス情報及び第１の対応関係に従って前記複数回の伝送に使用される時間領域リソースを決定するために使用され、
ここで、前記第１の対応関係は、インデックス情報と時間領域リソース情報の対応関係である
ことを特徴とする請求項２６に記載の端末デバイス。
【請求項２８】
前記決定モジュールはさらに、
前記第１のインデックス情報に従って前記複数回の伝送の伝送回数を決定するために使用され、前記第１のインデックス情報に対応する時間領域リソースは、前記複数回の伝送に使用される時間ユニットである
ことを特徴とする請求項２７に記載の端末デバイス。
【請求項２９】
前記第１の制御情報は第２の構成情報を含み、前記第２の構成情報は、前記複数回の伝送における毎回の伝送の特定の境界に対する時間オフセット情報を決定するために使用され、
前記決定モジュールはさらに、
前記特定の境界を基準として、前記毎回の伝送の前記特定の境界に対する時間オフセットに従って前記毎回の伝送に使用される時間領域リソースを決定するために使用される
ことを特徴とする請求項２２に記載の端末デバイス。
【請求項３０】
前記特定の境界は、前記第１の制御情報を運ぶ時間ユニットに従って決定される時間ユニット、又は現在の無線フレームの最初の時間ユニット、又は現在の無線フレーム周期の最初の時間ユニットである
ことを特徴とする請求項２９に記載の端末デバイス。
【請求項３１】
前記第１の制御情報は第２のビットマップを含み、前記第２のビットマップは、前記サイドリンクの複数回の伝送の周波数領域リソースを決定するために使用され、前記第２のビットマップ内の各ビットはシステム内の少なくとも１つの周波数領域ユニットに対応し、前記第２のビットマップ内の各ビットの値は、前記各ビットに対応する周波数領域ユニットがサイドリンク伝送に使用できるか否かを決定するために使用される
ことを特徴とする請求項２２〜３０のいずれか１項に記載の端末デバイス。
【請求項３２】
前記決定モジュールはさらに、
前記第２のビットマップの各ビットに対応する周波数領域ユニットのうち、サイドリンク伝送に使用できる周波数領域ユニットを前記サイドリンクの複数回の伝送に使用される周波数領域リソースとして決定するために使用される
ことを特徴とする請求項３１に記載の端末デバイス。
【請求項３３】
前記第１の制御情報は第３の構成情報を含み、前記第３の構成情報は、前記サイドリンクの複数回の伝送における毎回の伝送の周波数領域リソース長さ情報を決定するために使用される
ことを特徴とする請求項２２〜３０のいずれか１項に記載の端末デバイス。
【請求項３４】
前記第１の制御情報は第４の構成情報を含み、前記第４の構成情報は、前記複数回の伝送における毎回の伝送の周波数領域開始位置を決定するために使用され、
前記決定モジュールはさらに、
前記第３の構成情報に従って前記サイドリンクの複数回の伝送における毎回の伝送の周波数領域リソース長さ情報を決定し、及び前記第４の構成情報に従って前記複数回の伝送における毎回の伝送の周波数領域開始位置を決定し、
前記複数回の伝送における毎回の伝送の周波数領域開始位置及び周波数領域リソース長さ情報に従って、前記複数回の伝送における毎回の伝送の周波数領域リソースを決定するために使用される
ことを特徴とする請求項３３に記載の端末デバイス。
【請求項３５】
前記第１の制御情報は第３のビットマップを含み、前記第３のビットマップ内の各ビットはシステム内の少なくとも１つの周波数領域ユニットに対応し、前記第３のビットマップで第１の値を取るビット数は、前記複数回の伝送の伝送回数を決定するために使用され、前記第３のビットマップで前記第１の値を取るビットに対応する周波数領域ユニットは、前記複数回の伝送における毎回の伝送の周波数領域開始位置を決定するために使用される
ことを特徴とする請求項３３に記載の端末デバイス。
【請求項３６】
前記決定モジュールはさらに、
前記第３の構成情報に従って前記サイドリンクの複数回の伝送における毎回の伝送の周波数領域リソース長さ情報を決定し、
前記第３のビットマップで前記第１の値を取るビット数を前記複数回の伝送の伝送回数として決定し、前記第３のビットマップで前記第１の値を取るビットに対応する周波数領域ユニットを前記複数回の伝送における毎回の伝送の周波数領域開始位置として決定し、
前記複数回の伝送の伝送回数、及び前記複数回の伝送における毎回の伝送の周波数領域開始位置及び周波数領域リソース長さ情報に従って、前記複数回の伝送における毎回の伝送の周波数領域リソースを決定するために使用される
ことを特徴とする請求項３５に記載の端末デバイス。
【請求項３７】
前記第１の制御情報は第５の構成情報を含み、前記第５の構成情報は、前記複数回の伝送における２回の隣接する伝送間の周波数領域開始位置オフセットを決定するために使用され、
前記決定モジュールはさらに、
前記複数回の伝送における最初の伝送の周波数領域開始位置、前記複数回の伝送の伝送回数、及び前記２回の隣接する伝送間の周波数領域開始位置オフセットに従って、前記複数回の伝送における毎回の伝送の周波数領域リソースを決定するために使用される
ことを特徴とする請求項２２〜３０のいずれか１項に記載の端末デバイス。
【請求項３８】
前記最初の伝送の周波数領域開始位置は、前記第１の制御情報に従って決定されるか、又は前記端末デバイス上に事前構成されるか、又はネットワークデバイスにより構成され、あるいは、
前記伝送回数の情報は、前記第１の制御情報に従って決定されるか、又は前記端末デバイス上に事前構成されるか、又はネットワークデバイスにより構成される
ことを特徴とする請求項３７に記載の端末デバイス。
【請求項３９】
前記第１の制御情報は第６の構成情報を含み、前記第６の構成情報はＮ個のリソース指示値（ＲＩＶ）を含み、前記Ｎ個のＲＩＶは、前記複数回の伝送の周波数領域開始位置及び／又は周波数領域長さを決定するために使用され、
前記決定モジュールはさらに、
前記Ｎ個のリソース指示値に従って前記複数回の伝送の周波数領域リソースを決定するために使用され、
ここで、Ｎは前記複数回の伝送の総回数である
ことを特徴とする請求項２２〜３０のいずれか１項に記載の端末デバイス。
【請求項４０】
前記第１の制御情報はダウンリンク制御情報（ＤＣＩ）であり、前記サイドリンクはサイドリンク制御チャネル（ＰＳＣＣＨ）及び／又はサイドリンク共有チャネル（ＰＳＳＣＨ）を含む
ことを特徴とする請求項２１〜３９のいずれか１項に記載の端末デバイス。
【請求項４１】
プロセッサーと、メモリとを備え、このメモリは、コンピュータプログラムを格納するために使用され、前記プロセッサーは、前記メモリに格納されたコンピュータプログラムを呼び出して実行し、請求項１〜２０のいずれか１項に記載のデータ伝送方法を実行するために使用される
ことを特徴とする端末デバイス。
【請求項４２】
チップであって、
メモリからコンピュータプログラムを呼び出して実行し、前記チップが搭載されたデバイスに請求項１〜２０のいずれか１項に記載のデータ伝送方法を実行させるためのプロセッサーを備える
ことを特徴とするチップ。
【請求項４３】
コンピュータプログラムを格納するために使用され、前記コンピュータプログラムは、コンピュータに請求項１〜２０のいずれか１項に記載のデータ伝送方法を実行させる
ことを特徴とするコンピュータ読み取り可能な記録媒体。
【請求項４４】
コンピュータプログラム命令を含み、このコンピュータプログラム命令は、コンピュータに請求項１〜２０のいずれか１項に記載のデータ伝送方法を実行させる
ことを特徴とするコンピュータプログラム製品。
【請求項４５】
コンピュータに請求項１〜２０のいずれか１項に記載のデータ伝送方法を実行させる
ことを特徴とするコンピュータプログラム。
【発明の詳細な説明】
【技術分野】
【０００１】
本発明の実施例は、通信分野に関し、特に車両インターネットにおけるデータ伝送方法及び端末デバイスに関する。
【背景技術】
【０００２】
車両インターネットシステムは、ロングタームエボリューションビークルツービークル（Ｌｏｎｇ  Ｔｅｒｍ  Ｅｖａｌｕａｔｉｏｎ  Ｖｅｈｉｃｌｅ  ｔｏ  Ｖｅｈｉｃｌｅ：ＬＴＥ  Ｖ２Ｖ）通信に基づくサイドリンク（Ｓｉｄｅｌｉｎｋ：ＳＬ）伝送技術であり、通信データが基地局を介して受信又は送信される従来のＬＴＥシステム方式とは異なり、車両インターネットシステムは、端末間直接通信の方式を使用するため、スペクトル効率がより高く、伝送遅延がより低い。
【０００３】
この車両インターネットシステムでは、端末デバイスがサイドリンク上でデータ伝送を行うためのリソースは、ネットワークデバイスにより決定されることができる。具体的に、端末デバイスは、ネットワークデバイスからダウンリンク制御情報（Ｄｏｗｎｌｉｎｋ  Ｃｏｎｔｒｏｌ  Ｉｎｆｏｒｍａｔｉｏｎ：ＤＣＩ）を受信し、その後、ダウンリンク制御情報に従ってサイドリンクデータの伝送リソースを決定することができ、ここで、ＤＣＩ内でサイドリンクデータ伝送に対応する制御情報、例えば、時間-周波数リソース割り当て情報等が搬送され、ＤＣＩを受信した端末デバイスは、このＤＣＩを検出することによってデータ伝送を行うための時間-周波数リソース位置等の情報を取得し、この時間-周波数リソース上でサイドリンクデータを伝送する。
【０００４】
新無線（Ｎｅｗ  Ｒａｄｉｏ：ＮＲ）に基づくビークルトゥエブリシング（Ｖｅｈｉｃｌｅ  ｔｏ  Ｅｖｅｒｙｔｈｉｎｇ：Ｖ２Ｘ）システムは自動運転をサポートする必要があるため、より高い信頼性のような車両間のデータ相互作用に対するより高い要件が提示され、したがって、サイドリンクの確実な伝送を如何に実現するかは、解決すべき緊急の問題である。
【発明の概要】
【０００５】
本発明の実施例は、サイドリンクの複数回の伝送に使用されるリソースを決定して、サイドリンクデータの複数回の伝送を実現でき、データ伝送の信頼性を提供するのに有利な車両インターネットにおけるデータ伝送方法及び端末デバイスを提供する。
【０００６】
第１の態様によれば、車両インターネットにおけるデータ伝送方法が提供され、前記方法は、端末デバイスが、ネットワークデバイスにより送信された第１の制御情報を受信するステップと、前記端末デバイスが、前記第１の制御情報に従ってサイドリンクの複数回の伝送に使用されるリソースを決定するステップと、を含み、前記第１の制御情報は、前記サイドリンクの複数回の伝送に使用されるリソース情報を決定するために使用される。
【０００７】
第２の態様によれば、上記の第１の態様又は第１の態様の任意の可能な実現形態における方法を実行するための端末デバイスが提供される。具体的に、この端末デバイスは、上記の第１の態様又は第１の態様のいずれかの可能な実現形態における方法を実行するためのユニットを備える。
【０００８】
第３の態様によれば、端末デバイスが提供され、この端末デバイスは、プロセッサーと、メモリとを備える。このメモリは、コンピュータプログラムを格納するために使用され、このプロセッサーは、このメモリに格納されたコンピュータプログラムを呼び出して実行し、上記の第１の態様又はその各実現形態における方法を実行するために使用される。
【０００９】
第４の態様によれば、上記の第１の態様又はその各実現形態における方法を実現するためのチップが提供される。
【００１０】
具体的に、このチップは、メモリからコンピュータプログラムを呼び出して実行し、このチップが搭載されたデバイスに上記の第１の態様又はその各実現形態における方法を実行させるためのプロセッサーを備える。
【００１１】
第５の態様によれば、コンピュータプログラムを格納するためのコンピュータ読み取り可能な記録媒体が提供され、このコンピュータプログラムは、コンピュータに上記の第１の態様又はその各実現形態における方法を実行させる。
【００１２】
第６の態様によれば、コンピュータプログラム命令を含むコンピュータプログラム製品が提供され、このコンピュータプログラム命令は、コンピュータに上記の第１の態様又はその各実現形態における方法を実行させる。
【００１３】
第７の態様によれば、コンピュータ上で実行されるときに、コンピュータに上記の第１の態様又はその各実現形態における方法を実行させるコンピュータプログラムが提供される。
【００１４】
上記の技術案に基づき、端末デバイスは、ネットワークデバイスの第１の制御情報に従ってサイドリンクの複数回の伝送に使用されるリソースを決定することができ、さらに、この端末デバイスは、このサイドリンクの複数回の伝送に使用されるリソース上で他の端末デバイスにサイドリンクデータを複数回送信することができ、これにより、サイドリンク伝送の信頼性を向上させることができる。
【図面の簡単な説明】
【００１５】
【図１】本発明の実施例に提供される通信システムアーキテクチャの概略図である。
【図２】本発明の実施例に提供される車両インターネットにおけるデータ伝送方法の概略図である。
【図３】本発明の実施例に提供される端末デバイスの概略ブロック図である。
【図４】本発明の別の実施例に提供される端末デバイスの概略ブロック図である。
【図５】本発明の実施例に提供されるチップの概略ブロック図である。
【発明を実施するための形態】
【００１６】
以下、本発明の実施例における図面を参照しながら、本発明の実施例における技術案について説明する。なお、説明される実施例は、本発明の一部の実施例に過ぎず、すべての実施例ではない。当業者が本発明の実施例に基づいて、創造的な労働をしていない前提で獲得する他のすべての実施例は、本発明の保護範囲に属する。
【００１７】
本発明の実施例に係る技術案は、デバイスツーデバイス（Ｄｅｖｉｃｅ  ｔｏ  Ｄｅｖｉｃｅ：Ｄ２Ｄ）通信システム、例えば、ロングタームエボリューション（Ｌｏｎｇ  Ｔｅｒｍ  Ｅｖｏｌｕｔｉｏｎ：ＬＴＥ）に基づいてＤ２Ｄ通信を行う車両インターネットシステムに適用できることを理解されたい。端末間の通信データがネットワークデバイス（例えば、基地局）を介して受信又は送信される従来のＬＴＥシステム方式とは異なり、車両インターネットシステムは端末間直接通信の方式を使用するため、スペクトル効率がより高く、伝送遅延がより低い。
【００１８】
選択的に、車両インターネットシステムが基盤としている通信システムは、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ：ＧＳＭ）システム、シンボル分割多元接続（Ｃｏｄｅ  Ｄｉｖｉｓｉｏｎ  Ｍｕｌｔｉｐｌｅ  Ａｃｃｅｓｓ：ＣＤＭＡ）システム、広帯域シンボル分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ：ＧＰＲＳ）、ＬＴＥシステム、ＬＴＥ周波数分割複信（Ｆｒｅｑｕｅｎｃｙ  Ｄｉｖｉｓｉｏｎ  Ｄｕｐｌｅｘ：ＦＤＤ）システム、ＬＴＥ時分割複信（Ｔｉｍｅ  Ｄｉｖｉｓｉｏｎ  Ｄｕｐｌｅｘ：ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：ＷｉＭＡＸ）通信システム、５Ｇ新無線（Ｎｅｗ  Ｒａｄｉｏ：ＮＲ）システム等であってもよい。
【００１９】
本発明の実施例における端末デバイスは、Ｄ２Ｄ通信を実現可能な端末デバイスであってもよい。例えば、車載端末デバイスであってもよく、５Ｇネットワークにおける端末デバイス又は将来進化する公衆陸上移動通信ネットワーク（Ｐｕｂｌｉｃ  Ｌａｎｄ  Ｍｏｂｉｌｅ  Ｎｅｔｗｏｒｋ：ＰＬＭＮ）における端末デバイス等であってもよく、本発明の実施例はこれを限定しない。
【００２０】
図１は、本発明の実施例に係る１つの応用シナリオの概略図である。図１は、１つのネットワークデバイス及び２つの端末デバイスを例示的に示しており、選択的に、本発明の実施例における無線通信システムは、複数のネットワークデバイスを含んでもよく、各ネットワークデバイスは、カバレッジ内に他の数の端末デバイスを含んでもよく、本発明の実施例はこれを限定しない。
【００２１】
選択的に、この無線通信システムは、モビリティ管理エンティティ（Ｍｏｂｉｌｅ  Ｍａｎａｇｅｍｅｎｔ  Ｅｎｔｉｔｙ：ＭＭＥ）、サービングゲートウェイ（Ｓｅｒｖｉｎｇ  Ｇａｔｅｗａｙ：Ｓ−ＧＷ）、パケットデータネットワークゲートウェイ（Ｐａｃｋｅｔ  Ｄａｔａ  Ｎｅｔｗｏｒｋ  Ｇａｔｅｗａｙ：Ｐ−ＧＷ）等の他のネットワークエンティティをさらに含んでもよく、又は、この無線通信システムは、セッション管理機能（Ｓｅｓｓｉｏｎ  Ｍａｎａｇｅｍｅｎｔ  Ｆｕｎｃｔｉｏｎ：ＳＭＦ）、統合データ管理（Ｕｎｉｆｉｅｄ  Ｄａｔａ  Ｍａｎａｇｅｍｅｎｔ：ＵＤＭ）、認証サーバ機能（Ａｕｔｈｅｎｔｉｃａｔｉｏｎ  Ｓｅｒｖｅｒ  Ｆｕｎｃｔｉｏｎ：ＡＵＳＦ）等の他のネットワークエンティティをさらに含んでもよく、本発明の実施例はこれを限定しない。
【００２２】
この車両インターネットシステムでは、端末デバイスはモード３とモード４を使用して通信することができる。
【００２３】
具体的に、端末デバイス１２１と端末デバイス１２２は、Ｄ２Ｄ通信モードで通信することができ、Ｄ２Ｄ通信を行う場合、端末デバイス１２１と端末デバイス１２２は、Ｄ２Ｄリンク、即ちサイドリンクＳＬを介して直接通信する。ここで、モード３では、端末デバイスの伝送リソースは基地局により割り当てられ、端末デバイスは基地局により割り当てられたリソースに従ってＳＬ上でデータを送信することができる。基地局は、端末デバイスに単一回伝送のリソースを割り当ててもよく、端末に半静的伝送のリソースを割り当ててもよい。モード４では、端末デバイスは、センシング（ｓｅｎｓｉｎｇ）＋予約（ｒｅｓｅｒｖａｔｉｏｎ）の伝送方式を採用し、端末デバイスは、ＳＬリソース上で伝送リソースを自律的に選択する。具体的に、端末デバイスは、センシングの方式によりリソースプール内の利用可能な伝送リソースセットを取得し、端末デバイスは、この利用可能な伝送リソースセットから１つのリソースをランダムに選択してデータを伝送する。
【００２４】
車両インターネットシステムでは、他の伝送モードも定義することができ、例えば、端末デバイスのサイドリンク伝送リソースが基地局により割り当てられることをモード５で表し、端末デバイスがサイドリンク伝送リソースを自律的に選択することをモード６で表し、本実施例はこれを限定しない。
【００２５】
Ｄ２Ｄ通信は、ビークルツービークル（Ｖｅｈｉｃｌｅ  ｔｏ  Ｖｅｈｉｃｌｅ、単に「Ｖ２Ｖ」と称する）通信又はビークルツーエブリシング（Ｖｅｈｉｃｌｅ  ｔｏ  Ｅｖｅｒｙｔｈｉｎｇ：Ｖ２Ｘ）通信を指してもよい。Ｖ２Ｘ通信では、Ｘは通常、無線送受信能力を備えた任意のデバイスを指してもよく、例えば、低速で移動する無線装置、高速で移動する車載デバイス、又は無線送受信能力を備えたネットワーク制御ノード等があるが、これらに限定されない。本発明の実施例は、主にＶ２Ｘ通信のシナリオに適用されるが、他の任意のＤ２Ｄ通信シナリオにも適用でき、本発明の実施例はこれを限定しないことを理解されたい。
【００２６】
図２は、本発明の実施例に係る車両インターネットにおけるデータ伝送方法の概略フローチャートであり、この方法は、端末デバイス１２１又は端末デバイス１２２のような車両インターネットシステム内の端末デバイスにより実行されることができ、図２に示すように、この方法２００は、
端末デバイスが、ネットワークデバイスにより送信された第１の制御情報を受信するステップと、
前記端末デバイスが、前記第１の制御情報に従ってサイドリンクの複数回の伝送に使用されるリソースを決定するステップと、を含み、
前記第１の制御情報は、前記サイドリンクの複数回の伝送に使用されるリソース情報を決定するために使用される。
【００２７】
具体的に、端末デバイスは、ネットワークデバイスにより送信された第１の制御情報を受信することができ、選択的に、この第１の制御情報は、ＤＣＩであってもよく、又は他のダウンリンク情報であってもよく、本発明の実施例はこれを限定しない。この第１の制御情報は、サイドリンクの複数回の伝送に使用されるリソースを決定するためにこの端末デバイスにより使用されることができ、例えば、この第１の制御情報は、この複数回の伝送に使用されるリソースを直接的又は間接的に指示することができ、したがって、端末デバイスは、この第１の制御情報に従ってサイドリンクの複数回の伝送に使用されるリソースを決定することができる。
【００２８】
なお、本発明の実施例は、以下の２つのケースに適用可能である。
【００２９】
ケース１：端末デバイスは、この第１の制御情報に従ってサイドリンクの複数回の伝送に使用されるリソースを決定し、さらに、このリソース上で他の端末デバイスにより複数回送信されたデータを受信することができ、選択的に、前記端末デバイスは、このリソース上で他の端末デバイスにより複数回送信された同じデータを受信し、これにより、サイドリンクのデータ伝送の信頼性を向上させることができる。
【００３０】
ケース２：端末デバイスは、この第１の制御情報に従ってサイドリンクの複数回の伝送に使用されるリソースを決定し、さらに、このリソース上で他の端末デバイスにサイドリンクデータを複数回送信することができ、選択的に、前記端末デバイスは、このリソース上で他の端末デバイスに同じデータを複数回送信し、これにより、サイドリンクのデータ伝送の信頼性を向上させることができる。
【００３１】
即ち、このサイドリンクの複数回の伝送に使用されるリソースは、他の端末デバイスにサイドリンクデータを複数回送信するために端末デバイスにより使用されるリソースであってもよく、この場合、この端末デバイスについては、このリソースは、送信リソースと見なすことができ、又は、この端末デバイスにサイドリンクデータを複数回送信するために他の端末デバイスにより使用されるリソース（このリソースは、ネットワークデバイスにより他の端末デバイスに構成されてもよい）であってもよく、この場合、この端末デバイスについては、このリソースは、受信リソースと見なすことができ、以下では、ケース２を例にして説明し、本発明における実施例は、ケース１にも適用可能であり、簡略化のため、詳細な説明は省略する。
【００３２】
選択的に、本発明の実施例で説明されるリソース情報は、時間領域リソース情報及び／又は周波数領域リソース情報を含んでもよく、又は符号領域リソース情報等のようなサイドリンク伝送で使用される他のリソース情報を含んでもよく、本発明の実施例はこれを限定しない。
【００３３】
本発明の実施例で説明されるリソースは、伝送リソース又は時間-周波数リソースと呼ばれることもあり、サイドリンク通信中にデータ又はシグナリングを運ぶために使用でき、例えば、このリソースは、物理サイドリンク制御チャネル（Ｐｈｙｓｉｃａｌ  Ｓｉｄｅｌｉｎｋ  Ｃｏｎｔｒｏｌ  Ｃｈａｎｎｅｌ：ＰＳＣＣＨ）又は物理サイドリンク共有チャネル（Ｐｈｙｓｉｃａｌ  Ｓｉｄｅｌｉｎｋ  Ｓｈａｒｅｄ  Ｃｈａｎｎｅｌ：ＰＳＳＣＨ）を複数回伝送するために使用できることを理解されたい。
【００３４】
本発明の実施例では、この端末デバイスは、第１の制御情報に従って１つのリソースグループを決定することができ、この１つのリソースグループは、この複数回の伝送における毎回の伝送に使用でき、即ち、毎回の伝送に同じリソースが使用され、又は、この端末デバイスは、この第１の制御情報に従って複数のリソースグループを決定することもでき、各リソースグループが１回の伝送に対応する場合、毎回の伝送に対応するリソースが使用され、毎回の伝送に使用される周波数領域リソースは同じでも異なってもよく、本発明の実施例はこれを特に限定しないことを理解されたい。
【００３５】
選択的に、幾つかの実施例では、この第１の制御情報に従ってこの複数回の伝送に使用される時間領域リソース情報のみを決定できる場合、この複数回の伝送に使用される周波数領域リソースは暗黙的に決定されてもよく、例えば、この端末デバイスは、固定周波数領域リソースを使用することができ、この固定周波数領域リソースは、この端末デバイス上に事前に構成されるか、ネットワークデバイス又は他の端末デバイスにより事前に構成されてもよく、利用可能な周波数領域リソースを事前にこの端末デバイスに通知するだけでよい。
【００３６】
又は、他の実施例では、この第１の制御情報に従ってこの複数回の伝送に使用される周波数領域リソース情報のみを決定できる場合、この複数回の伝送に使用される時間領域リソースは暗黙的に決定されてもよく、例えば、この端末デバイスは、固定時間領域リソースを使用することができ、この固定時間領域リソースは、事前構成されるか、ネットワークデバイス又は他の端末デバイスにより構成されてもよく、利用可能な時間領域リソースを事前にこの端末デバイスに通知するだけでよい。又は、この端末デバイスが使用できる時間領域リソースとこの第１の制御情報を受信する時間領域リソースの間は１対１の対応関係があり、これにより、この第１の制御情報を受信する時間領域リソースに従って、どの時間領域リソースが利用可能であるかを決定することができる。例えば、この端末デバイスは、この第１の制御情報を受信する時間ユニットの後のｓ＊Ｔ番目の時間ユニットをこの複数回の伝送に使用される時間領域リソースとして決定することができ、選択的に、Ｔは２、４、８等であってもよく、１≦ｓ≦Ｍであり、Ｍは前記複数回の伝送の総回数を表す。
【００３７】
選択的に、幾つかの実施例では、ＰＳＣＣＨ及び／又はＰＳＳＣＨに使用される時間領域リソース及び周波数領域リソースは、両方ともこの第１の制御情報により決定されることができ、このＰＳＣＣＨとそれに対応するＰＳＳＣＨの時間領域リソース又は周波数領域リソースに対応関係がある場合、この第１の制御情報のみによりそれらのうちの一方を決定することもでき、もう一方に対応する時間領域リソース又は周波数領域リソースはこの対応関係に従って決定される。
【００３８】
例えば、ＰＳＣＣＨとそれに対応するＰＳＳＣＨの時間領域開始位置に対応関係がある場合、例えば、１つのサーブフレーム内の最初のシンボルがＰＳＣＣＨの時間領域開始位置であり、このＰＳＣＣＨが４つのシンボルを占め、５番目のシンボルがＰＳＳＣＨの時間領域開始位置であり、即ち、ＰＳＣＣＨ及びそれに対応するＰＳＳＣＨの時間領域開始位置が、それぞれ１つのサーブフレーム内の最初のシンボル及び５番目のシンボルである場合、この第１の制御情報によりこのＰＳＣＣＨに対応するサーブフレームを指示して、ＰＳＣＣＨ及びＰＳＳＣＨの時間領域開始位置がこのサーブフレーム内の最初のシンボル及び５番目のシンボルであることを決定することができる。
【００３９】
別の例として、ＰＳＣＣＨとそれに対応するＰＳＳＣＨの周波数領域開始位置に対応関係がある場合、これにより、この第１の制御情報に従ってＰＳＣＣＨの周波数領域開始位置を決定することができ、この対応関係に従って、このＰＳＣＣＨに対応するＰＳＳＣＨの周波数領域開始位置を決定することができ、選択的に、ＰＳＣＣＨとそれに対応するＰＳＳＣＨの周波数領域開始位置が同じである場合、このＰＳＣＣＨ又はＰＳＳＣＨの周波数領域開始位置を指示するこの第１の制御情報を提供するだけでよい。
【００４０】
つまり、この第１の制御情報に従ってサイドリンクの複数回の伝送に使用されるリソース情報の一部のみを決定できる場合、他のリソース情報は暗黙的に決定されてもよく、例えば、他のリソース情報は、この端末デバイス上に事前に構成されるか、又はネットワークデバイス又は他の端末デバイスにより事前に構成されてもよく、又は既知のリソース情報（例えば、この第１の制御情報を受信する周波数領域リソース又は時間領域リソース）と対応関係等を有してもよく、本発明の実施例はこれを限定しない。
【００４１】
以下では、具体的な実施例に関連して、サイドリンクの複数回の伝送に使用される時間領域リソース及び周波数領域リソースの決定方式をそれぞれ紹介する。
【００４２】
１．サイドリンクの複数回の伝送に使用される時間領域リソースの決定方式。
【００４３】
本発明の実施例では、時間領域リソースの単位は、時間ユニット又は時間領域ユニットと呼ばれてもよく、１つの時間ユニットは、タイムスロット、シンボル、サーブフレーム又は短い伝送時間間隔（ｓｈｏｒｔ  Ｔｒａｎｓｍｉｓｓｉｏｎ  Ｔｉｍｅ  Ｉｎｔｅｒｖａｌ：ｓＴＴＩ）、又は時間長さを計量するために使用できる他の量であってもよく、本発明はこれを限定しないことを理解されたい。以下の実施例は、主にサーブフレームを例にして紹介されるが、本発明の実施例に対するいかなる制限も構成すべきではない。
【００４４】
実施例１：
前記第１の制御情報は第１のビットマップを含み、前記第１のビットマップは、前記サイドリンクの複数回の伝送の時間領域リソースを決定するために使用され、前記第１のビットマップ内の各ビットはサイドリンク内の少なくとも１つの時間ユニットに対応し、前記第１のビットマップ内の各ビットの値は、前記各ビットに対応する時間ユニットがサイドリンク伝送に使用できるか否かを決定するために使用される。
【００４５】
選択的に、この第１のビットマップがＰビットを含み、ここで、Ｐは１より大きい整数であり、各ビットが少なくとも１つの時間ユニットに対応する場合、ビットの値により対応する時間ユニットがサイドリンク伝送に使用できるか否かを決定することができ、したがって、この端末デバイスは、このＰビットに対応する時間ユニットのうち、サイドリンク伝送に使用できる時間ユニットをサイドリンクの複数回の伝送に使用される時間ユニットとして決定することができ、さらに、これらの時間ユニット上で他の端末デバイスにサイドリンクデータを複数回送信することができ、これにより、サイドリンク伝送の信頼性を向上させることができる。
【００４６】
例えば、この第１のビットマップは８ビットを含み、各ビットは１つのサーブフレームに対応し、この８ビットにより対応する８つのサーブフレームがサイドリンク伝送に使用できるか否かを指示することができる。選択的に、この８つのサーブフレームは、この第１の制御情報を受信する現在のサイドリンクサーブフレームから始まる８つのサーブフレームであってもよく、ここで、最上位ビットは現在のサーブフレームに対応し、以下同様である。この第１のビットマップが１０１００１０１である場合、現在のサーブフレームから始まる１、３、６、８番目のサーブフレームがサイドリンク伝送に使用できることを決定することができ、したがって、この端末デバイスは、上記の利用可能なサーブフレーム上で他の端末にサイドリンクデータを複数回送信することができ、データ伝送の信頼性を向上させることができる。
【００４７】
本発明の実施例では、どのサーブフレーム上でサイドリンク伝送を行うかを決定した後、具体的に各サーブフレーム内のどのシンボル上でサイドリンクデータを伝送するかは、リソースプールの構成に従って決定することができ、本発明の実施例はこれを特に限定せず、例えば、１つのサーブフレーム内の最初のＨ個のシンボルがＰＳＣＣＨの伝送に使用され、残りのシンボルがＰＳＳＣＨの伝送に使用される場合、この端末デバイスは、利用可能なサーブフレーム内の最初のＨ個のシンボル上でＰＳＣＣＨを伝送し、利用可能なサーブフレームの他のシンボル上でＰＳＳＣＨを伝送することができることを理解されたい。
【００４８】
なお、この第１のビットマップ内の各ビットに対応する時間ユニットは、第１の時間ユニットに対して相対的であってもよい。選択的に、この第１の時間ユニットは、無線フレーム内の最初の時間ユニット又は無線フレーム周期内の最初の時間ユニットであってもよく、又はこの第１の時間ユニットは、この端末デバイス上に事前構成された時間ユニット、又はネットワークデバイス又は他の端末により構成された時間ユニットであってもよく、例えば、ネットワークデバイスはＤＣＩによりこの第１の時間ユニットを構成でき、他の端末はＳＣＩによりこの第１の時間ユニットを構成でき、又は、この第１の時間ユニットは、この第１の制御情報を受信する第２の時間ユニットに従って決定されてもよい。
【００４９】
本発明の実施例では、前記サーブフレーム、無線フレーム、又は無線フレーム周期は、ダウンリンクのサーブフレーム、無線フレーム、又は無線フレーム周期を指すか、又はサイドリンクのサーブフレーム、無線フレーム、又は無線フレーム周期を指してもよいことを理解されたい。
【００５０】
例えば、この第２の時間ユニットは、この端末デバイスがこの第１の制御情報を受信するサイドリンク上の時間ユニットであってもよく、一実現形態では、この端末デバイスは、この第２の時間ユニットをこの第１の時間ユニットとして決定してもよく、又はこの第２の時間ユニットの後のａ番目のサイドリンク時間ユニットをこの第１の時間ユニットとして決定してもよく、ａは１より大きい整数であり、選択的に、このａは２、４、８等であってもよく、例えば、この第２の時間ユニットがサイドリンクサーブフレームｎである場合、この第１の時間ユニットはサイドリンクサーブフレームｎ＋４であってもよい。ここで、パラメーターａは事前構成されるか、又はネットワークにより構成されるか、又は制御シグナリングを通じて他の端末により指示されてもよい。
【００５１】
別の例として、この第２の時間ユニットはこの端末デバイスがこの第１の制御情報を受信するダウンリンク上の時間ユニットであってもよく、一実現形態では、この端末デバイスは、この第２の時間ユニットをこの第１の時間ユニットとして決定してもよく、又はこの第２の時間ユニットの後のｂ番目のダウンリンク時間ユニットをこの第１の時間ユニットとして決定してもよく、ｂは１より大きい整数であり、選択的に、このｂは２、４、８等であってもよく、例えば、この第２の時間ユニットがダウンリンクサーブフレームｎである場合、この第１の時間ユニットはダウンリンクサーブフレームｎ＋４であってもよい。ここで、パラメーターｂは事前構成されるか、又はネットワークにより構成されるか、又は制御シグナリングを通じて他の端末により指示されてもよい。
【００５２】
実施例２：
前記第１の制御情報は第１の構成情報を含み、前記第１の構成情報は、前記複数回の伝送における２回の隣接する伝送間の時間オフセットを決定するために使用される。
【００５３】
選択的に、この第１の構成情報は、２回の隣接する伝送間の時間オフセットを直接指示することができ、又は、第１の構成情報はインデックス値であってもよく、このインデックス値と事前構成されたインデックス値と時間オフセットとの対応関係により、対応する時間オフセットを決定することができ、本発明の実施例は、この第１の構成情報の指示方式を限定しない。
【００５４】
したがって、この端末デバイスは、この第１の制御情報内の第１の構成情報に従って、複数回の伝送における２回の隣接する伝送間の時間オフセットを決定することができ、さらに、最初の伝送に対応する時間領域リソース及び伝送回数の情報と組み合わせて、この複数回の伝送における毎回の伝送に対応する時間領域リソースを決定することができる。
【００５５】
例えば、第１の構成情報が、時間オフセットが２つの時間ユニットであり、伝送回数が４であり、最初の伝送に対応する時間ユニットが４であると指示する場合、この時間ユニット４は第３の時間ユニットに対して相対的であってもよく、この第３の時間ユニットの決定方式は、前述の第１の時間ユニットの決定方式を参照でき、ここで詳細な説明を省略する。この第３の時間ユニットがこの第１の制御情報を受信する現在のサイドリンク時間ユニットである場合、４回の伝送に対応する時間ユニットは、それぞれ現在の時間ユニットから始まる４、６、８、１０番目の時間ユニットである。
【００５６】
幾つかの実現形態では、この２回の隣接する伝送間の時間オフセットは、この第１の制御情報により決定されてもよいことを理解されたい。他の実現形態では、この時間オフセットは暗黙的に決定されてもよく、選択的に、この時間オフセットは、この端末デバイス上に事前構成されるか、又はネットワークデバイス又は他の端末により構成されてもよい。例えば、この時間オフセットはＱであってもよく、Ｑは０以上の整数であり、つまり、複数回の伝送は、隣接する時間ユニット、又は固定数の間隔をあけた時間ユニット、又は固定長さの時間量を使用することができる。
【００５７】
選択的に、幾つかの実施例では、この最初の伝送に対応する時間領域リソースは、この第１の制御情報により決定されてもよく、又は、他の実施例では、この最初の伝送に対応する時間領域リソースは、暗黙的に決定され、例えば、この端末デバイス上に事前構成されるか、又はネットワークデバイス又は他の端末により構成されてもよく、本発明の実施例はこれを限定しない。
【００５８】
具体的な実現では、この第１の制御情報は第７の構成情報を含んでもよく、この第７の構成情報は、この最初の伝送に対応する時間領域リソースを決定するために使用され、ここで、この第７の構成情報の指示方式は、この第１の構成情報を参照でき、選択的に、この第７の構成情報は、実施例１で説明したビットマップの方式を使用してこの最初の伝送に対応する時間領域リソースを指示してもよく、ここで詳細な説明を省略する。又は、この第７の構成情報はパラメーターｃであり、このパラメーターｃは、この第１の制御情報の受信に対する最初の伝送の時間オフセットを表し、サーブフレームｎでこの第１の制御情報が受信される場合、この最初の伝送はサーブフレームｎ＋ｃとして決定され、選択的に、ｃは２、４、８等であってもよい。  
選択的に、幾つかの実施例では、この複数回の伝送の伝送回数は、この第１の制御情報により決定されてもよく、又は他の実施例では、この複数回の伝送の伝送回数は暗黙的に決定されてもよく、選択的に、この伝送回数は、この端末デバイス上に事前構成されるか、又はネットワークデバイス又は他の端末により構成されてもよく、本発明の実施例はこれを限定しない。選択的に、この複数回の伝送の伝送回数は、デフォルト回数、例えば、２回又は４回であってもよい。
【００５９】
具体的な実現では、この第１の制御情報は第８の構成情報を含んでもよく、この第８の構成情報は、この複数回の伝送の伝送回数を決定するために使用され、例えば、この第８の構成情報は、この複数回の伝送の伝送回数を直接指示することができる。
【００６０】
この実施例２では、２回の隣接する伝送間の時間オフセットが同じである場合、この第１の構成情報は１つの時間オフセットのみを含んでもよく、又はこの複数回の伝送における２回の隣接する伝送間の時間オフセットが異なる場合、この第１の構成情報は複数の時間オフセットを含んでもよく、伝送の前後順序に従って２回の隣接する伝送間の時間オフセットを順次指示することを理解されたい。例えば、伝送回数は４であり、最初の伝送と２回目の伝送の時間オフセットは２つの時間ユニットであり、２回目の伝送と３回目の伝送の時間オフセットは３つの時間ユニットであり、３回目の伝送と４回目の伝送の時間オフセットは２つの時間ユニットであり、この第１の構成情報は３つの時間オフセットを含んでもよく、それぞれ２、３、及び２であり、最初の伝送から４回目の伝送までの２回の隣接する伝送間の時間オフセットをそれぞれ指示する。
【００６１】
実施例３：
前記第１の制御情報は第１のインデックス情報を含み、前記第１のインデックス情報は、前記複数回の伝送における毎回の伝送に対応する時間領域リソース情報を指示するために使用される。
【００６２】
この実施例３では、この端末デバイス上には第１の対応関係が構成されており、選択的に、この第１の対応関係は、事前構成されるか、又はネットワークデバイス又は他の端末により構成されてもよく、この第１の対応関係は、インデックス値と時間領域リソースの対応関係であり、したがって、この端末デバイスは、この第１の制御情報に含まれる第１のインデックス情報に従って、この第１の対応関係と組み合わせて、サイドリンクの複数回の伝送に使用される時間領域リソースを決定することができる。
【００６３】
限定ではなく例として、この第１の対応関係は、表１に示すとおりであってもよい。
【表１】
2021533596.tif 000003
【００６４】
選択的に、この実施例３では、この複数回の伝送の伝送回数は、この第１の制御情報内の他のパラメーター又は情報により決定されてもよく、又は事前構成されるか又はネットワークにより構成されてもよく、又は一可能な実現形態では、この第１のインデックス情報によりこの複数回の伝送の伝送回数を決定することができ、この場合、この第１のインデックス情報に対応する時間領域リソースは、この複数回の伝送に使用されるそれぞれの対応する時間ユニットである。
【００６５】
例えば、この第１のインデックス情報が８である場合、表１を検索すると、対応するサーブフレーム番号１、２、３、４が得られ、インデックス８は４回の伝送を表し、このサーブフレーム番号は、特定の時間ユニットに対して相対的であってもよく、この特定の時間ユニットの決定方式は、実施例１における第１の時間ユニットを参照でき、この特定の時間ユニットとしてこの第１の制御情報を受信する現在のサイドリンクサーブフレームを例にすると、この４回の伝送に対応するサーブフレームは、それぞれ現在のサーブフレームから始まる１、２、３、４番目のサーブフレームである。この第１のインデックス情報が１２である場合、表１を検索すると、インデックス１２が８回の伝送に対応し、この８回の伝送に対応するサーブフレームが、それぞれ現在のサーブフレームから始まる１、３、５、７、９、１１、１３、１５番目のサーブフレームであることが分かる。
【００６６】
実施例４：
前記第１の制御情報は第２の構成情報を含み、前記第２の構成情報は前記複数回の伝送における毎回の伝送の特定の境界に対する時間オフセットを決定するために使用される。例えば、この第２の構成情報は、この毎回の伝送の特定の境界に対する時間オフセット又はオフセットされた時間ユニットの数を直接指示することができ、又は、この第２の構成情報は複数のインデックス値であってもよく、各インデックス値は、対応する１回の伝送の特定の境界に対する時間オフセット又は時間ユニットのインデックスを指示するために使用され、本発明の実施例は、この第２の構成情報の指示方式を特に限定しない。
【００６７】
さらに、この端末デバイスは、この特定の境界を基準として、毎回の伝送のこの特定の境界に対する時間オフセットと組み合わせて、この毎回の伝送に対応する時間領域リソースを決定することができる。
【００６８】
なお、この特定の境界の決定方式は、実施例１における第１の時間ユニットを参照でき、ここで詳細な説明を省略し、以下では、この特定の境界としてこの第１の制御情報を運ぶ現在のサーブフレームを例にして説明する。
【００６９】
時間オフセットが５ビットで表される場合、指示される最大の時間オフセットは３２個のサーブフレームであり、伝送回数が２回である場合、この伝送回数の決定方式は、実施例２を参照でき、２回の伝送に対応する時間オフセットがそれぞれ０００１０及び００１００である場合、２回の伝送に対応する時間領域リソースが、それぞれ現在のサーブフレームから始まる２番目のサーブフレーム及び４番目のサーブフレームであることを表すことができる。
【００７０】
選択的に、この第１の制御情報は、この複数回の伝送に使用される時間領域リソースのタイプ情報、例えば、時間領域が隣接するか否かを指示するための第１の指示情報をさらに含んでもよく、時間領域が隣接する場合、この端末デバイスは、最初の伝送の時間領域リソース位置に従って、毎回の伝送の時間領域リソースを決定することもできる。
【００７１】
サイドリンクの複数回の伝送に使用される時間領域リソースの上記の決定方式は、単なる例にすぎず、本発明の実施例に対するいかなる制限も構成すべきではなく、上記の実施例は、単独で又は組み合わせて使用することができ、例えば、実施例４に従って最初の伝送の時間領域リソース位置を決定し、その後、実施例２又は実施例１と組み合わせて、後続の数回の伝送に使用される時間領域リソースを決定することができることを理解されたい。
【００７２】
要約すると、この最初の伝送に対応する時間領域リソース情報、２回の隣接する伝送間の時間オフセット、伝送回数、毎回の伝送の特定の境界に対する時間オフセット等の情報は、すべて第１の制御情報により決定されてもよく、又は情報の一部が第１の制御情報により決定されてもよく、他の情報は暗黙的に決定されてもよく、例えば、事前構成されるか又はネットワークにより構成された情報であってもよい。
【００７３】
この最初の伝送に対応する時間領域リソース情報、２回の隣接する伝送間の時間オフセット、伝送回数、毎回の伝送の特定の境界に対する時間オフセット等の情報は、同じＤＣＩに従って決定されてもよく、又は異なるＤＣＩに従って決定されてもよく、本発明の実施例はこれを限定しないことを理解されたい。例えば、最初の伝送に対応する時間領域リソース情報は、第１のＤＣＩに従って決定されることができ、２回の隣接する伝送間の時間オフセットは、第２のＤＣＩに従って決定されることができ、以下同様である。
【００７４】
２、サイドリンクの複数回の伝送に使用される周波数領域リソースの決定方式。
【００７５】
本発明の実施例では、周波数領域リソースの単位は、周波数領域ユニットと呼ばれる場合があり、１つの周波数領域ユニットは、物理リソースブロック（ｐｈｙｓｉｃａｌ  ｒｅｓｏｕｒｃｅ  ｂｌｏｃｋ：ＰＲＢ）、リソースブロックグループ（Ｒｅｓｏｕｒｃｅ  Ｂｌｏｃｋ  Ｇｒｏｕｐ：ＲＢＧ）、サブバンド、又は他の固定周波数領域長さであってもよく、本発明の実施例はこれを限定せず、ここで、ＲＢＧ及びサブバンドは連続する複数のＰＲＢを含むことを理解されたい。以下の実施例は、主にサブバンドを例にして紹介されるが、本発明の実施例に対するいかなる制限も構成すべきではない。
【００７６】
実施例５：
前記第１の制御情報は第２のビットマップを含み、前記第２のビットマップは、前記サイドリンクの複数回の伝送の周波数領域リソースを決定するために使用され、前記第２のビットマップ内の各ビットはシステム内の少なくとも１つの周波数領域ユニットに対応し、前記第２のビットマップ内の各ビットの値は、前記各ビットに対応する周波数領域ユニットがサイドリンク伝送に使用できるか否かを決定するために使用される。
【００７７】
選択的に、この第２のビットマップがＬビットを含み、各ビットが少なくとも１つの周波数領域ユニットに対応する場合、ビットの値により対応する周波数領域ユニットがサイドリンク伝送に使用できるか否かを決定することができ、したがって、この端末デバイスは、このＬビットに対応する周波数領域ユニットのうち、サイドリンク伝送に使用できる周波数領域ユニットをサイドリンクの複数回の伝送に使用される周波数領域ユニットとして決定することができ、さらに、これらの周波数領域ユニット上で他の端末デバイスにより送信された複数回の伝送を受信することができ、これにより、サイドリンク伝送の信頼性を向上させることができる。
【００７８】
例えば、この第２のビットマップは１０ビットを含み、各ビットは１つのサブバンドに対応し、この１０ビットにより対応する１０個のサブバンド（サブバンド０〜サブバンド９）がサイドリンク伝送に使用できるか否かを指示することができ、ここで、最下位ビットは最下位サブバンドインデックスに対応し、この第２のビットマップが１０１０１０１０１０である場合、サブバンド１、サブバンド３、サブバンド５、サブバンド７、及びサブバンド９がサイドリンク伝送に使用できることを決定することができる。したがって、この端末デバイスは、上記の利用可能なサブバンド上で他の端末デバイスにより複数回送信されたサイドリンクデータを受信することができる。
【００７９】
本発明の実施例では、どのサブバンド上でサイドリンク伝送を行うかを決定した後、具体的に各サブバンド内のどのＰＲＢ上でサイドリンクデータを伝送するかは、リソースプールの構成に従って決定することができ、例えば、１つのサブバンド内の最初のＫ個のＰＲＢがＰＳＣＣＨの伝送に使用され、残りのＰＲＢがＰＳＳＣＨの伝送に使用される場合、この端末デバイスは、利用可能なサブバンド内の最初のＫ個のＰＲＢ上でＰＳＣＣＨを伝送し、利用可能なサブバンドの他のＰＲＢ上でＰＳＳＣＨを伝送することができ、ここで、Ｋは１以上の整数であることを理解されたい。
【００８０】
実施例６：
前記第１の制御情報は第３の構成情報を含み、前記第３の構成情報は、前記サイドリンクの複数回の伝送における毎回の伝送の周波数領域リソース長さ情報を決定するために使用される。
【００８１】
前述の第１の構成情報と同様に、この第３の構成情報も、この毎回の伝送に対応する周波数領域リソース長さを直接指示することができ、又はこの第３の構成情報も、複数のインデックス値であってもよく、この複数のインデックス値によりこの複数回の伝送の周波数領域リソース長さを指示し、本発明の実施例はこれを特に限定しない。
【００８２】
選択的に、この本発明の実施例では、この毎回の伝送の周波数領域リソース長さ情報も暗黙的に構成されてもよく、例えば、この毎回の伝送に対応する周波数領域リソース長さは、デフォルト長さ、例えば、１つのサブバンド又は２つのサブバンド等であってもよく、又はこの周波数領域リソース長さは、この端末デバイス上に事前構成されるか、又はネットワークデバイス又は他の端末により構成された周波数領域長さであってもよく、本発明の実施例はこれを限定しない。
【００８３】
さらに、この端末デバイスは、この複数回の伝送における毎回の伝送に対応する周波数領域リソース長さに従って、さらに毎回の伝送に対応する周波数領域開始位置と組み合わせて、毎回の伝送に対応する周波数領域リソースを決定することができ、以下では、方式１及び方式２と組み合わせて、毎回の伝送の周波数領域開始位置の決定方式を紹介する。
【００８４】
方式１：
前記第１の制御情報は第４の構成情報を含み、前記第４の構成情報は、前記複数回の伝送における毎回の伝送の周波数領域開始位置を決定するために使用される。
【００８５】
即ち、第１の制御情報内で第４の構成情報が搬送されることで、この端末デバイスは、この第４の構成情報に従って毎回の伝送に対応する周波数領域開始位置を決定することができる。
【００８６】
選択的に、この第４の構成情報は、毎回の伝送に対応する開始周波数領域ユニットのインデックスを指示するために使用されることができ、例えば、システムを１０個のサブバンドに分割した場合、４ビットの情報を使用して１つのサブバンドインデックス（０〜９）を表すことができ、伝送回数が２回である場合、２つの４ビットにより毎回の伝送の周波数領域開始位置を指示することができ、この４ビットの情報がそれぞれ００１０及び０１１０である場合、サブバンド２及びサブバンド６がそれぞれ２回の伝送の周波数領域開始位置に対応することを決定することができる。
【００８７】
さらに、この端末デバイスは、前記複数回の伝送における毎回の伝送の周波数領域開始位置及び周波数領域リソース長さ情報に従って、前記複数回の伝送における毎回の伝送の周波数領域リソースを決定する。
【００８８】
上記の例に続いて、最初の伝送の周波数領域リソース長さが２つのサブバンドであり、２回目の伝送の周波数領域リソース長さが１つのサブバンドである場合、この端末デバイスは、サブバンド２及びサブバンド３上で最初の伝送を行い、サブバンド６上で２回目の伝送を行うことができ、又はサブバンド６及びサブバンド７上で最初の伝送を行い、サブバンド２上で２回目の伝送を行ってもよい。
【００８９】
選択的に、この第１の制御情報は、最低周波数領域開始位置（又は最低周波数領域ユニット、最小のサブバンドインデックス値を持つ周波数領域ユニットとして理解できる）がこの複数回の伝送におけるｍ回目の伝送に対応することを指示するための第１のパラメーターをさらに含んでもよく、
2021533596.tif 000004
であり、ここで、Ｍは伝送の総回数であり、この複数回の伝送における他のＭ−１回の伝送も順次決定できる。
【００９０】
上記の例に続いて、第１のパラメーターが、サブバンド２が２回目の伝送に対応することを指示する場合、このサブバンド６は最初の伝送に対応し、即ち、最初の伝送の周波数領域開始位置はサブバンド６であり、２回目の伝送の周波数領域開始位置はサブバンド２であり、したがって、この端末デバイスは、サブバンド６及びサブバンド７上で最初の伝送を行い、サブバンド２上で２回目の伝送を行うことができる。
【００９１】
選択的に、幾つかの実施例では、この第１のパラメーターは、最高周波数領域開始位置がこの複数回の伝送におけるどの回の伝送に対応するかを指示するために使用されてもよく、又は、いずれかの周波数領域開始位置がこの複数回の伝送におけるどの回の伝送に対応するかを指示してもよく、具体的な実現は類似しており、ここで詳細な説明を省略する。
【００９２】
方式２：
前記第１の制御情報は第３のビットマップを含み、前記第３のビットマップ内の各ビットはシステム内の少なくとも１つの周波数領域ユニットに対応し、前記第３のビットマップで第１の値を取るビット数は、前記複数回の伝送の伝送回数を決定するために使用され、前記第３のビットマップで前記第１の値を取るビットに対応する周波数領域ユニットは、前記複数回の伝送における毎回の伝送の周波数領域開始位置を決定するために使用される。
【００９３】
選択的に、この第１の値は０又は１であってもよく、この第１の値として１を例にして説明する。
【００９４】
例えば、システム帯域幅が２０ＭＨｚであり、サブバンドを単位として、各サブバンドに１０個のＰＲＢが含まれる場合、１０個のサブバンドを含み、第３のビットマップの１０ビットにそれぞれ対応し、この第３のビットマップが００  ００１０  ０１００であり、ここで、最下位ビットが最低サブバンドインデックスに対応し、値が１のビット数が２である場合、伝送回数が２であり、それぞれ対応する周波数領域開始位置がサブバンド２及びサブバンド５であることを決定することができる。
【００９５】
この第３のビットマップ内のビット順序は、サブバンドインデックスの低い順に並べられるため、複数回の伝送の周波数領域開始位置もサブバンドインデックス順序の低い順に並べられることが限定され、サイドリンク伝送の柔軟性を向上させるために、この第１の制御情報は、最低周波数領域開始位置（又は最低周波数領域ユニット、最小のインデックス値を持つ周波数領域ユニットとして理解できる）がこの複数回の伝送におけるｋ回目の伝送に対応することを指示するための第２のパラメーターをさらに含んでもよく、
2021533596.tif 000005
であり、ここで、Ｍは伝送総回数であり、この複数回の伝送における他のＭ−１回の伝送も順次決定できる。
【００９６】
前の例では、この第２のパラメーターは１ビットであってもよく、この第２のパラメーターが０である場合、最低サブバンドが最初の伝送に対応することを表し、１である場合は、最低サブバンドが２回目の伝送に対応することを表すものとする。この第２のパラメーターが１である場合、２回目の伝送がサブバンド２から始まり、最初の伝送がサブバンド６から始まることを決定することができる。又は、この第３のビットマップが００１０１０１０１０であり、即ち、伝送回数が４であり、周波数領域開始位置がサブバンド１、サブバンド３、サブバンド５、及びサブバンド７である場合、この第２のパラメーターは２ビットであってもよく、００〜１１の値により最低サブバンドが最初の伝送から４回目の伝送に対応することをそれぞれ指示し、この第２のパラメーターが１０であり、最低サブバンドが３回目の伝送に対応することを表す場合、４回の伝送にそれぞれ対応する周波数領域開始位置がサブバンド５、サブバンド７、サブバンド１、及びサブバンド３であることを決定することができる。
【００９７】
実施例７：
前記第１の制御情報は第５の構成情報を含み、前記第５の構成情報は、前記複数回の伝送における２回の隣接する伝送間の周波数領域開始位置オフセットを決定するために使用される。選択的に、この第５の構成情報は、２回の隣接する伝送間の周波数領域開始位置オフセットを直接指示することができ、又は、第１の構成情報はインデックス値であってもよく、このインデックス値と事前構成されたインデックス値と周波数領域オフセットとの対応関係により、対応する周波数領域オフセットを決定することができ、本発明の実施例は、この第５の構成情報の指示方式を限定しない。
【００９８】
したがって、この端末デバイスは、この第１の制御情報内の第５の構成情報に従って、複数回の伝送における２回の隣接する伝送間の周波数領域開始位置オフセットを決定することができ、さらに、最初の伝送に対応する周波数領域開始位置、この複数回の伝送の伝送回数、及び毎回の伝送の周波数領域リソース長さと組み合わせて、この複数回の伝送における毎回の伝送に対応する周波数領域リソースを決定することができる。
【００９９】
例えば、第５の構成情報が、周波数領域オフセットが４つのサブバンドであり、伝送回数が４であり、最初の伝送に対応する周波数領域開始位置がサブバンド２であり、周波数領域長さが２つのサブバンドであることを指示する場合、４回の伝送に対応する周波数領域開始位置は、それぞれサブバンド２、サブバンド６、サブバンド１０、サブバンド１４であり、毎回の伝送は２つのサブバンドを占める。
【０１００】
選択的に、この最初の伝送に対応する周波数領域開始位置は、この第１の制御情報により決定されてもよく、又はこの最初の伝送に対応する周波数領域開始位置は、暗黙的に決定され、例えば、この端末デバイス上に事前構成されるか、又はネットワークデバイス又は他の端末により構成されるか、又は前記第１の制御情報の受信リソースに従って決定されてもよく、本発明の実施例はこれを限定しない。具体的な実現は、前述の実施例における第７の構成情報の指示方式を参照し、ここで詳細な説明を省略する。
【０１０１】
なお、この実施例７では、２回の隣接する伝送間の周波数領域開始位置の周波数領域オフセットが同じである場合、この第５の構成情報は１つの周波数領域オフセットのみを含んでもよく、又はこの複数回の伝送における２回の隣接する伝送間の周波数領域オフセットが異なる場合、この第５の構成情報は複数の周波数領域オフセットを含んでもよく、伝送の前後順序に従って２回の隣接する伝送間の周波数領域開始位置オフセットを順次指示し、例えば、伝送回数は４であり、最初の伝送と２回目の伝送の周波数領域開始位置オフセットは２つのサブバンドであり、２回目の伝送と３回目の伝送の周波数領域開始位置オフセットは３つの周波数領域オフセットであり、３回目の伝送と４回目の伝送の周波数領域開始位置オフセットは２つのサブバンドであり、この第５の構成情報は３つの周波数領域オフセットを含んでもよく、それぞれ２、３、２であり、最初の伝送から４回目の伝送までの２回の隣接する伝送間の周波数領域開始位置オフセットをそれぞれ指示する。
【０１０２】
実施例８：
前記第１の制御情報は第６の構成情報を含み、前記第６の構成情報はＮ個のリソース指示値（Ｒｅｓｏｕｒｃｅ  Ｉｎｄｉｃａｔｉｏｎ  Ｖａｌｕｅ：ＲＩＶ）を含み、前記Ｎ個のＲＩＶは、前記複数回の伝送の周波数領域開始位置及び／又は周波数領域長さを決定するために使用される。
【０１０３】
例えば、このＲＩＶ値は、１回の伝送の開始ＰＲＢインデックス（ｎ＿ＰＲＢ＿ｓｔａｒｔ）及び連続するＰＲＢ数（Ｌ＿ＰＲＢ）に対応することができ、限定ではなく例として、このＲＩＶは次の式に従って決定できる。
2021533596.tif 000006
【０１０４】
ここで、Ｎ＿ＰＲＢはリソースプール内のＰＲＢの総数を表す。
【０１０５】
選択的に、幾つかの実施例では、第１の制御情報は１つのＲＩＶ値を含み、このＲＩＶ値は、最初の伝送の周波数領域開始位置及び周波数領域リソース長さを指示するために使用される。
【０１０６】
この場合、第１の制御情報は、複数回の伝送の周波数領域開始位置を決定するための第９の構成情報をさらに含み、例えば、第９の構成情報は、２回の隣接する伝送間の周波数領域開始位置オフセットであるか、又は最初の伝送以外の他のＭ−１回の伝送の周波数領域開始位置等であってもよく、具体的な指示方式は、前述の実施例の関連する説明を参照でき、ここで詳細な説明を省略する。
【０１０７】
上記の実施例を要約すると、この最初の伝送に対応する周波数領域開始位置、２回の隣接する伝送における周波数領域開始位置オフセット、周波数領域リソース長さ、伝送回数等の情報は、すべて第１の制御情報により決定されてもよく、又は情報の一部が第１の制御情報により決定されてもよく、他の情報は暗黙的に決定されてもよく、例えば、事前構成されるか、又はネットワークにより構成された情報であってもよく、又は他の制御情報により決定されてもよい。
【０１０８】
また、この最初の伝送に対応する周波数領域開始位置、２回の隣接する伝送における周波数領域開始位置オフセット、周波数領域リソース長さ、伝送回数等の情報は、同じＤＣＩに従って決定されてもよく、又は異なるＤＣＩに従って決定されてもよく、本発明の実施例はこれを限定しないことを理解されたい。例えば、周波数領域開始位置は、第３のＤＣＩに従って決定されることができ、周波数領域リソース長さは、第４のＤＣＩに従って決定されることができ、以下同様である。
【０１０９】
サイドリンクの複数回の伝送に使用される周波数領域リソースの上記の決定方式は、単なる例にすぎず、本発明の実施例に対するいかなる限定も構成すべきではなく、上記の実施例は、単独で又は組み合わせて使用することができ、本発明の実施例はこれを特に限定しないことを理解されたい。
【０１１０】
本発明の方法の実施例は、図２を参照して上記で詳細に説明され、本発明の装置の実施例は、図３〜図５を参照して以下で説明され、装置の実施例と方法の実施例は互いに対応し、同様の説明は方法の実施例を参照できることを理解されたい。
【０１１１】
図３は、本発明の実施例に係る端末デバイスの概略構造図であり、図３に示すように、この端末デバイス３００は、
ネットワークデバイスにより送信された第１の制御情報を受信するための通信モジュール３１０と、
前記第１の制御情報に従って前記サイドリンクの複数回の伝送に使用されるリソースを決定するための決定モジュール３２０と、を備え、
前記第１の制御情報は、サイドリンクの複数回の伝送に使用されるリソース情報を決定するために使用される。
【０１１２】
選択的に、幾つかの実施例では、前記サイドリンクの複数回の伝送に使用されるリソース情報は、前記サイドリンクの複数回の伝送に使用される時間領域リソース情報及び／又は周波数領域リソース情報を含む。
【０１１３】
選択的に、幾つかの実施例では、前記第１の制御情報は第１のビットマップを含み、前記第１のビットマップは、前記サイドリンクの複数回の伝送の時間領域リソースを決定するために使用され、前記第１のビットマップ内の各ビットはシステム内の少なくとも１つの時間ユニットに対応し、前記第１のビットマップ内の各ビットの値は、前記各ビットに対応する時間ユニットがサイドリンク伝送に使用できるか否かを決定するために使用され、前記決定モジュール３２０はさらに、
前記第１のビットマップの各ビットに対応する時間ユニットのうち、サイドリンク伝送に使用できる時間ユニットを前記サイドリンクの複数回の伝送に使用される時間領域リソースとして決定するために使用される。
【０１１４】
選択的に、幾つかの実施例では、前記第１の制御情報は第１の構成情報を含み、前記第１の構成情報は、前記複数回の伝送における２回の隣接する伝送間の時間オフセットを決定するために使用され、前記決定モジュール３２０はさらに、
前記複数回の伝送における最初の伝送の時間領域リソース情報、前記複数回の伝送の伝送回数、及び前記２回の隣接する伝送間の時間オフセットに従って、前記複数回の伝送における毎回の伝送に使用される時間領域リソースを決定するために使用される。
【０１１５】
選択的に、幾つかの実施例では、前記最初の伝送の時間領域リソース情報は、前記第１の制御情報に従って決定されるか、又は前記端末デバイス上に事前構成されるか、又はネットワークデバイスにより構成され、前記伝送回数の情報は、前記第１の制御情報に従って決定されるか、又は前記端末デバイス上に事前構成されるか、又はネットワークデバイスにより構成される。
【０１１６】
選択的に、幾つかの実施例では、前記第１の制御情報は第１のインデックス情報を含み、前記第１のインデックス情報は、前記複数回の伝送における毎回の伝送に対応する時間領域リソース情報を指示するために使用される。
【０１１７】
選択的に、幾つかの実施例では、前記決定モジュール３２０はさらに、
前記第１のインデックス情報及び第１の対応関係に従って前記複数回の伝送に使用される時間領域リソースを決定するために使用され、ここで、前記第１の対応関係は、インデックス情報と時間領域リソース情報の対応関係である。
【０１１８】
選択的に、幾つかの実施例では、前記決定モジュール３２０はさらに、
前記第１のインデックス情報に従って前記複数回の伝送の伝送回数を決定するために使用され、前記第１のインデックス情報に対応する時間領域リソースは、前記複数回の伝送に使用される時間ユニットである。
【０１１９】
選択的に、幾つかの実施例では、前記第１の制御情報は第２の構成情報を含み、前記第２の構成情報は、前記複数回の伝送における毎回の伝送の特定の境界に対する時間オフセット情報を決定するために使用され、前記決定モジュール３２０はさらに、
前記特定の境界を基準として、前記毎回の伝送の前記特定の境界に対する時間オフセットに従って前記毎回の伝送に使用される時間領域リソースを決定するために使用される。
【０１２０】
選択的に、幾つかの実施例では、前記特定の境界は、前記第１の制御情報を運ぶ時間ユニットに従って決定される時間ユニット、又は現在の無線フレームの最初の時間ユニット、又は現在の無線フレーム周期の最初の時間ユニットである。
【０１２１】
選択的に、幾つかの実施例では、前記第１の制御情報は第２のビットマップを含み、前記第２のビットマップは、前記サイドリンクの複数回の伝送の周波数領域リソースを決定するために使用され、前記第２のビットマップ内の各ビットはシステム内の少なくとも１つの周波数領域ユニットに対応し、前記第２のビットマップ内の各ビットの値は、前記各ビットに対応する周波数領域ユニットがサイドリンク伝送に使用できるか否かを決定するために使用される。
【０１２２】
選択的に、幾つかの実施例では、前記決定モジュール３２０はさらに、
前記第２のビットマップの各ビットに対応する周波数領域ユニットのうち、サイドリンク伝送に使用できる周波数領域ユニットを前記サイドリンクの複数回の伝送に使用される周波数領域リソースとして決定するために使用される。
【０１２３】
選択的に、幾つかの実施例では、前記第１の制御情報は第３の構成情報を含み、前記第３の構成情報は、前記サイドリンクの複数回の伝送における毎回の伝送の周波数領域リソース長さ情報を決定するために使用される。
【０１２４】
選択的に、幾つかの実施例では、前記第１の制御情報は第４の構成情報を含み、前記第４の構成情報は、前記複数回の伝送における毎回の伝送の周波数領域開始位置を決定するために使用され、前記決定モジュール３２０はさらに、
前記第３の構成情報に従って前記サイドリンクの複数回の伝送における毎回の伝送の周波数領域リソース長さ情報を決定し、及び前記第４の構成情報に従って前記複数回の伝送における毎回の伝送の周波数領域開始位置を決定し、
前記複数回の伝送における毎回の伝送の周波数領域開始位置及び周波数領域リソース長さ情報に従って、前記複数回の伝送における毎回の伝送の周波数領域リソースを決定するために使用される。
【０１２５】
選択的に、幾つかの実施例では、前記第１の制御情報は第３のビットマップを含み、前記第３のビットマップ内の各ビットはシステム内の少なくとも１つの周波数領域ユニットに対応し、前記第３のビットマップで第１の値を取るビット数は、前記複数回の伝送の伝送回数を決定するために使用され、前記第３のビットマップで前記第１の値を取るビットに対応する周波数領域ユニットは、前記複数回の伝送における毎回の伝送の周波数領域開始位置を決定するために使用される。
【０１２６】
選択的に、幾つかの実施例では、前記決定モジュール３２０はさらに、
前記第３の構成情報に従って前記サイドリンクの複数回の伝送における毎回の伝送の周波数領域リソース長さ情報を決定し、
前記第３のビットマップで前記第１の値を取るビット数を前記複数回の伝送の伝送回数として決定し、前記第３のビットマップで前記第１の値を取るビットに対応する周波数領域ユニットを前記複数回の伝送における毎回の伝送の周波数領域開始位置として決定し、
前記複数回の伝送の伝送回数、及び前記複数回の伝送における毎回の伝送の周波数領域開始位置及び周波数領域リソース長さ情報に従って、前記複数回の伝送における毎回の伝送の周波数領域リソースを決定するために使用される。
【０１２７】
選択的に、幾つかの実施例では、前記第１の制御情報は第５の構成情報を含み、前記第５の構成情報は、前記複数回の伝送における２回の隣接する伝送間の周波数領域開始位置オフセットを決定するために使用され、前記決定モジュール３２０はさらに、
前記複数回の伝送における最初の伝送の周波数領域開始位置、前記複数回の伝送の伝送回数、及び前記２回の隣接する伝送間の周波数領域開始位置オフセットに従って、前記複数回の伝送における毎回の伝送の周波数領域リソースを決定するために使用される。
【０１２８】
選択的に、幾つかの実施例では、前記最初の伝送の周波数領域開始位置は、前記第１の制御情報に従って決定されるか、又は前記端末デバイス上に事前構成されるか、又はネットワークデバイスにより構成され、又は、
前記伝送回数の情報は、前記第１の制御情報に従って決定されるか、又は前記端末デバイス上に事前構成されるか、又はネットワークデバイスにより構成される。
【０１２９】
選択的に、幾つかの実施例では、前記第１の制御情報は第６の構成情報を含み、前記第６の構成情報はＮ個のリソース指示値ＲＩＶを含み、前記Ｎ個のＲＩＶは、前記複数回の伝送の周波数領域開始位置及び／又は周波数領域長さを決定するために使用され、前記決定モジュール３２０はさらに、
前記Ｎ個のリソース指示値に従って前記複数回の伝送の周波数領域リソースを決定するために使用され、ここで、Ｎは前記複数回の伝送の総回数である。
【０１３０】
選択的に、幾つかの実施例では、前記第１の制御情報はダウンリンク制御情報ＤＣＩであり、前記サイドリンクはサイドリンク制御チャネルＰＳＣＣＨ及び／又はサイドリンク共有チャネルＰＳＳＣＨを含む。
【０１３１】
図４は、本発明の実施例に提供される通信デバイス６００の概略構造図である。図４に示す通信デバイス６００はプロセッサー６１０を備え、プロセッサー６１０は、メモリからコンピュータプログラムを呼び出して実行し、本発明の実施例における方法を実行することができる。
【０１３２】
選択的に、図４に示すように、通信デバイス６００はメモリ６２０をさらに備えてもよい。ここで、プロセッサー６１０は、メモリ６２０からコンピュータプログラムを呼び出して実行し、本発明の実施例における方法を実現することができる。
【０１３３】
ここで、メモリ６２０は、プロセッサー６１０から独立した１つの別個のデバイスであってもよく、又はプロセッサー６１０に統合されてもよい。
【０１３４】
選択的に、図４に示すように、通信デバイス６００は送受信機６３０をさらに備えてもよく、プロセッサー６１０は、他のデバイスと通信するようにこの送受信機６３０を制御することができ、具体的に、他のデバイスに情報又はデータを送信するか、又は他のデバイスにより送信された情報又はデータを受信することができる。
【０１３５】
ここで、送受信機６３０は送信機及び受信機を含んでもよい。送受信機６３０はアンテナをさらに備えてもよく、アンテナの数は１つ又は複数であってもよい。
【０１３６】
選択的に、この通信デバイス６００は、具体的に本発明の実施例に係る移動端末／端末デバイスであってもよく、この通信デバイス６００は、本発明の実施例に係る各方法において移動端末／端末デバイスにより実現される対応するフローを実現することができ、簡潔にするため、ここで詳細な説明を省略する。
【０１３７】
図５は、本発明の実施例に係るチップの概略構造図である。図５に示すチップ７００はプロセッサー７１０を備え、プロセッサー７１０は、メモリからコンピュータプログラムを呼び出して実行し、本発明の実施例における方法を実現することができる。
【０１３８】
選択的に、図５に示すように、チップ７００はメモリ７２０をさらに備えてもよい。ここで、プロセッサー７１０は、メモリ７２０からコンピュータプログラムを呼び出して実行し、本発明の実施例における方法を実現することができる。
【０１３９】
ここで、メモリ７２０は、プロセッサー７１０から独立した１つの別個のデバイスであってもよく、又はプロセッサー７１０に統合されてもよい。
【０１４０】
選択的に、このチップ７００は入力インターフェース７３０をさらに備えてもよい。ここで、プロセッサー７１０は、他のデバイス又はチップと通信するようにこの入力インターフェース７３０を制御することができ、具体的に、他のデバイス又はチップにより送信された情報又はデータを取得することができる。
【０１４１】
選択的に、このチップ７００は出力インターフェース７４０をさらに備えてもよい。ここで、プロセッサー７１０は、他のデバイス又はチップと通信するようにこの出力インターフェース７４０を制御することができ、具体的に、他のデバイス又はチップに情報又はデータを出力することができる。
【０１４２】
選択的に、このチップは、本発明の実施例における移動端末／端末デバイスに適用でき、このチップは、本発明の実施例に係る各方法において移動端末／端末デバイスにより実現される対応するフローを実現することができ、簡潔にするため、ここで詳細な説明を省略する。
【０１４３】
本発明の実施例で言及されるチップは、システムレベルチップ、システムチップ、チップシステム、又はシステムオンチップ等と呼ばれることもあることを理解されたい。
【０１４４】
本発明の実施例に係るプロセッサーは、信号処理能力のある集積回路チップであってもよいことを理解されたい。実現プロセスでは、上記の方法の実施例の各ステップは、プロセッサーにおけるハードウェアの集積論理回路又はソフトウェアの形の命令により完了することができる。上記のプロセッサーは、汎用プロセッサー、デジタル信号プロセッサー（Ｄｉｇｉｔａｌ  Ｓｉｇｎａｌ  Ｐｒｏｃｅｓｓｏｒ：ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ）又は他のプログラマブル論理デバイス、個別ゲート又はトランジスタ論理デバイス、個別ハードウェアコンポーネントであってもよく、本発明の実施例において開示された各方法、ステップ、及び論理ブロック図を実現又は実行することができる。汎用プロセッサーはマイクロプロセッサーであってもよく、又は、このプロセッサーはまた、いずれかの通常のプロセッサー等であってもよい。本発明の実施例に関連して開示された方法のステップは、ハードウェアデコードプロセッサーにより実行されて完了するように直接具現化されるか、又はデコードプロセッサーにおけるハードウェア及びソフトウェアモジュールの組み合わせにより実行されて完了することができる。ソフトウェアモジュールは、ランダムアクセスメモリ、フラッシュメモリ、読み取り専用メモリ、プログラマブル読み取り専用メモリ、又は電気的に消去可能なプログラマブルメモリ、レジスタ等の当技術分野の成熟した記録媒体に配置されることができる。この記録媒体はメモリに配置され、プロセッサーはメモリ内の情報を読み取り、そのハードウェアと組み合わせて上記の方法のステップを完了する。
【０１４５】
本発明の実施例におけるメモリは、揮発性メモリ又は不揮発性メモリであってもよく、又は揮発性及び不揮発性メモリの両方を含んでもよいことが理解される。ここで、不揮発性メモリは、読み取り専用メモリ（Ｒｅａｄ−Ｏｎｌｙ  Ｍｅｍｏｒｙ：ＲＯＭ）、プログラマブル読み取り専用メモリ（Ｐｒｏｇｒａｍｍａｂｌｅ  ＲＯＭ：ＰＲＯＭ）、消去可能なプログラマブル読み取り専用メモリ（Ｅｒａｓａｂｌｅ  ＰＲＯＭ：ＥＰＲＯＭ）、電気的に消去可能なプログラマブル読み取り専用メモリ（Ｅｌｅｃｔｒｉｃａｌｌｙ  ＥＰＲＯＭ：ＥＥＰＲＯＭ）又はフラッシュメモリであってもよい。揮発性メモリは、外部キャッシュとして使用されるランダムアクセスメモリ（Ｒａｎｄｏｍ  Ａｃｃｅｓｓ  Ｍｅｍｏｒｙ：ＲＡＭ）であってもよい。限定ではなく例として、スタティックランダムアクセスメモリ（Ｓｔａｔｉｃ  ＲＡＭ：ＳＲＡＭ）、ダイナミックランダムアクセスメモリ（Ｄｙｎａｍｉｃ  ＲＡＭ：ＤＲＡＭ）、同期ダイナミックランダムアクセスメモリ（Ｓｙｎｃｈｒｏｎｏｕｓ  ＤＲＡＭ：ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ：ＤＤＲ  ＳＤＲＡＭ）、拡張同期ダイナミックランダムアクセスメモリ（Ｅｎｈａｎｃｅｄ  ＳＤＲＡＭ：ＥＳＤＲＡＭ）、同期接続ダイナミックランダムアクセスメモリ（Ｓｙｎｃｈｌｉｎｋ  ＤＲＡＭ：ＳＬＤＲＡＭ）、及びダイレクトメモリバスランダムアクセスメモリ（Ｄｉｒｅｃｔ  Ｒａｍｂｕｓ  ＲＡＭ：ＤＲ  ＲＡＭ）等の多くの形式のＲＡＭが利用可能である。本明細書で説明されるシステム及び方法のメモリは、これら及び任意の他の適切なタイプのメモリを含むことが意図されているが、これらに限定されないことに留意されたい。
【０１４６】
上記のメモリは例示的なものであり、限定的なものではなく、例えば、本発明の実施例におけるメモリは、スタティックランダムアクセスメモリ（Ｓｔａｔｉｃ  ＲＡＭ：ＳＲＡＭ）、ダイナミックランダムアクセスメモリ（Ｄｙｎａｍｉｃ  ＲＡＭ：ＤＲＡＭ）、同期ダイナミックランダムアクセスメモリ（Ｓｙｎｃｈｒｏｎｏｕｓ  ＤＲＡＭ：ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ：ＤＤＲ  ＳＤＲＡＭ）、拡張同期ダイナミックランダムアクセスメモリ（Ｅｎｈａｎｃｅｄ  ＳＤＲＡＭ：ＥＳＤＲＡＭ）、同期接続ダイナミックランダムアクセスメモリ（Ｓｙｎｃｈｌｉｎｋ  ＤＲＡＭ：ＳＬＤＲＡＭ）、及びダイレクトメモリバスランダムアクセスメモリ（Ｄｉｒｅｃｔ  Ｒａｍｂｕｓ  ＲＡＭ：ＤＲ  ＲＡＭ）等であってもよいことを理解されたい。つまり、本発明の実施例におけるメモリは、これら及び任意の他の適切なタイプのメモリを含むがこれらに限定されないことが意図されている。
【０１４７】
本発明の実施例によれば、コンピュータプログラムを格納するためのコンピュータ読み取り可能な記録媒体がさらに提供される。
【０１４８】
選択的に、このコンピュータ読み取り可能な記録媒体は、本発明の実施例におけるネットワークデバイスに適用でき、このコンピュータプログラムは、本発明の実施例に係る各方法においてネットワークデバイスにより実現される対応するフローをコンピュータに実行させ、簡潔にするため、ここで詳細な説明を省略する。
【０１４９】
選択的に、このコンピュータ読み取り可能な記録媒体は、本発明の実施例における移動端末／端末デバイスに適用でき、このコンピュータプログラムは、本発明の実施例に係る各方法において移動端末／端末デバイスにより実現される対応するフローをコンピュータに実行させ、簡潔にするため、ここで詳細な説明を省略する。
【０１５０】
本発明の実施例によれば、コンピュータプログラム命令を含むコンピュータプログラム製品がさらに提供される。
【０１５１】
選択的に、このコンピュータプログラム製品は、本発明の実施例におけるネットワークデバイスに適用でき、このコンピュータプログラム命令は、本発明の実施例に係る各方法においてネットワークデバイスにより実現される対応するフローをコンピュータに実行させ、簡潔にするため、ここで詳細な説明を省略する。
【０１５２】
選択的に、このコンピュータプログラム製品は、本発明の実施例における移動端末／端末デバイスに適用でき、このコンピュータプログラム命令は、本発明の実施例に係る各方法において移動端末／端末デバイスにより実現される対応するフローをコンピュータに実行させ、簡潔にするため、ここで詳細な説明を省略する。
【０１５３】
本発明の実施例によれば、コンピュータプログラムがさらに提供される。
【０１５４】
選択的に、このコンピュータプログラムは、本発明の実施例におけるネットワークデバイスに適用でき、このコンピュータプログラムがコンピュータ上で実行されるとき、コンピュータは、本発明の実施例に係る各方法においてネットワークデバイスにより実現される対応するフローを実行し、簡潔にするため、ここで詳細な説明を省略する。
【０１５５】
選択的に、このコンピュータプログラムは、本発明の実施例における移動端末／端末デバイスに適用でき、このコンピュータプログラムがコンピュータ上で実行されるとき、コンピュータは、本発明の実施例に係る各方法において移動端末／端末デバイスにより実現される対応するフローを実行し、簡潔にするため、ここで詳細な説明を省略する。
【０１５６】
当業者であれば、本明細書に開示された実施例に関連して説明された各例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、技術案の特定のアプリケーション及び設計上の制約条件によって異なる。技術者は、特定の用途ごとに不同な方法を使用して記載された機能を実現できるが、このような実現が本発明の範囲を超えると考慮されるべきではない。
【０１５７】
当業者であれば、説明の便宜及び簡潔さのために、上記のシステム、装置、及びユニットの特定の作業プロセスについては、前述の方法の実施例における対応するプロセスを参照でき、ここで詳細な説明を省略することを理解することができる。
【０１５８】
本発明に提供された幾つかの実施例において、開示されたシステム、装置及び方法は、他の方式で実現されてもよいことを理解されたい。例えば、上記のような装置の実施例は、単なる例にすぎず、例えば、前記ユニットの区分は、単なる論理的な機能による区分であり、実際に実現するときは他の区分方式であってもよく、例えば、複数のユニット又はコンポーネントが組み合わされるか又は別のシステムに集積されてもよく、或いは幾つかの特徴が省略され又は実行されなくてもよい。一方、示された又は解説された相互間の結合又は直接的な結合又は通信接続は、幾つかのインターフェイス、装置又はユニットによる間接的な結合又は通信接続であってもよく、電気的に、機械的、又は他の形態であってもよい。
【０１５９】
前記分離部材として説明されたユニットは、物理的に分離されてもよく、物理的に分離されなくてもよく、ユニットとして示された部材は、物理的なユニットであってもよく、物理的なユニットでなくてもよく、同じところに位置してもよく、複数のネットワークユニット上に分散されてもよい。実際の需要に応じて、一部又は全部のユニットを選択し、本実施例の目的を実現することができる。
【０１６０】
なお、本発明の各実施例に係る各機能ユニットは、１つの処理ユニットに集積されていてもよく、各ユニットが単独に物理的に存在していてもよく、２つ又は２つ以上のユニットが１つのユニットに集積されていてもよい。
【０１６１】
前記機能がソフトウェア機能ユニットの形で実現され、且つ独立した製品として販売又は使用される場合には、１つのコンピュータ読み取り可能な記録媒体に格納されることができる。このような理解に基づき、本発明の技術案は本質的に、従来技術に貢献した部分又はこの技術案の一部がソフトウェア製品の状態で具現化されることができ、このコンピュータソフトウェア製品は、１つの記録媒体に格納され、１台のコンピュータデバイス（パーソナルコンピュータ、サーバ、又はネットワークデバイス等であってもよい）に本発明の各実施例に記載の方法のステップの全部又は一部を実行させる命令を若干備える。ここで、前述の記録媒体は、ＵＳＢメモリ、モバイルハードディスク、読み取り専用メモリ（Ｒｅａｄ  Ｏｎｌｙ  Ｍｅｍｏｒｙ：ＲＯＭ）、ランダムアクセスメモリ（Ｒａｎｄｏｍ  Ａｃｃｅｓｓ  Ｍｅｍｏｒｙ：ＲＡＭ）、磁気ディスク、又は光ディスク等のプログラムコードを格納可能な様々な媒体を含む。
【０１６２】
以上は、本発明の特定の実施形態にすぎず、本発明の範囲はこれらに限定されない。この技術分野の当業者であれば、いずれも本発明に提示された技術範囲内で、変更又は置き換えを行うことを容易に想到し得るものがいずれも本発明の範囲に含まれる。したがって、本発明の範囲は、特許請求の範囲により示される。
【図１】
2021533596.tif 000007
【図２】
2021533596.tif 000008
【図３】
2021533596.tif 000009
【図４】
2021533596.tif 000010
【図５】
2021533596.tif 000011
【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
端末デバイスが、ネットワークデバイスにより送信された第１の制御情報を受信するステップと、
前記端末デバイスが、前記第１の制御情報に従ってサイドリンクの複数回の伝送に使用されるリソースを決定するステップと、を含み、
前記第１の制御情報は、前記サイドリンクの複数回の伝送に使用されるリソース情報を決定するために使用され、
前記サイドリンクの複数回の伝送に使用されるリソース情報は、前記サイドリンクの複数回の伝送に使用される時間領域リソース情報及び／又は周波数領域リソース情報を含む
ことを特徴とするデータ伝送方法。
【請求項２】
前記第１の制御情報は第１の構成情報を含み、前記第１の構成情報は、前記複数回の伝送における２回の隣接する伝送間の時間オフセットを決定するために使用され、
前記端末デバイスが、前記第１の制御情報に従って前記サイドリンクの複数回の伝送に使用されるリソースを決定するステップは、
前記端末デバイスが、前記複数回の伝送における最初の伝送の時間領域リソース情報、前記複数回の伝送の伝送回数、及び前記２回の隣接する伝送間の時間オフセットに従って、前記複数回の伝送における毎回の伝送に使用される時間領域リソースを決定するステップを含む
ことを特徴とする請求項１に記載のデータ伝送方法。
【請求項３】
前記最初の伝送の時間領域リソース情報は、前記第１の制御情報に従って決定されるか、又は前記端末デバイス上に事前構成されるか、又はネットワークデバイスにより構成され、前記伝送回数は、前記第１の制御情報に従って決定されるか、又は前記端末デバイス上に事前構成されるか、又はネットワークデバイスにより構成される
ことを特徴とする請求項２に記載のデータ伝送方法。
【請求項４】
前記第１の制御情報は第１のインデックス情報を含み、前記第１のインデックス情報は、前記複数回の伝送における毎回の伝送に対応する時間領域リソース情報を指示するために使用される
ことを特徴とする請求項１に記載のデータ伝送方法。
【請求項５】
前記端末デバイスが、前記第１の制御情報に従って前記サイドリンクの複数回の伝送に使用されるリソースを決定するステップは、
前記端末デバイスが、前記第１のインデックス情報及び第１の対応関係に従って前記複数回の伝送に使用される時間領域リソースを決定するステップを含み、
ここで、前記第１の対応関係は、インデックス情報と時間領域リソース情報の対応関係である
ことを特徴とする請求項４に記載のデータ伝送方法。
【請求項６】
前記端末デバイスが、前記第１のインデックス情報に従って前記複数回の伝送の伝送回数を決定するステップをさらに含み、
前記第１のインデックス情報に対応する時間領域リソースは、前記複数回の伝送に使用される時間ユニットである
ことを特徴とする請求項５に記載のデータ伝送方法。
【請求項７】
前記第１の制御情報は第２の構成情報を含み、前記第２の構成情報は、前記複数回の伝送における毎回の伝送の特定の境界に対する時間オフセット情報を決定するために使用され、
前記端末デバイスが、前記第１の制御情報に従って前記サイドリンクの複数回の伝送に使用されるリソースを決定するステップは、
前記端末デバイスが、前記特定の境界を基準として、前記毎回の伝送の前記特定の境界に対する時間オフセットに従って前記毎回の伝送に使用される時間領域リソースを決定するステップを含む
ことを特徴とする請求項１に記載のデータ伝送方法。
【請求項８】
前記特定の境界は、前記第１の制御情報を運ぶ時間ユニットに従って決定される時間ユニット、又は現在の無線フレームの最初の時間ユニット、又は現在の無線フレーム周期の最初の時間ユニットである
ことを特徴とする請求項７に記載のデータ伝送方法。
【請求項９】
前記第１の制御情報は第２のビットマップを含み、前記第２のビットマップは、前記サイドリンクの複数回の伝送の周波数領域リソースを決定するために使用され、前記第２のビットマップ内の各ビットはシステム内の少なくとも１つの周波数領域ユニットに対応し、前記第２のビットマップ内の各ビットの値は、前記各ビットに対応する周波数領域ユニットがサイドリンク伝送に使用できるか否かを決定するために使用される
ことを特徴とする請求項１〜８のいずれか１項に記載のデータ伝送方法。
【請求項１０】
前記第１の制御情報は第３の構成情報を含み、前記第３の構成情報は、前記サイドリンクの複数回の伝送における毎回の伝送の周波数領域リソース長さ情報を決定するために使用される
ことを特徴とする請求項１〜８のいずれか１項に記載のデータ伝送方法。
【請求項１１】
前記複数回の伝送における毎回の伝送の周波数領域リソース長さ情報は、前記端末デバイス上に事前に構成されている
ことを特徴とする請求項１に記載のデータ伝送方法。
【請求項１２】
前記第１の制御情報は第４の構成情報を含み、前記第４の構成情報は、前記複数回の伝送における毎回の伝送の周波数領域開始位置を決定するために使用され、
前記端末デバイスが、前記第１の制御情報に従って前記サイドリンクの複数回の伝送に使用されるリソースを決定するステップは、
前記端末デバイスが、前記第３の構成情報に従って前記サイドリンクの複数回の伝送における毎回の伝送の周波数領域リソース長さ情報を決定し、及び前記第４の構成情報に従って前記複数回の伝送における毎回の伝送の周波数領域開始位置を決定するステップと、
前記端末デバイスが、前記複数回の伝送における毎回の伝送の周波数領域開始位置及び  周波数領域リソース長さ情報に従って、前記複数回の伝送における毎回の伝送の周波数領域リソースを決定するステップと、を含む
ことを特徴とする請求項１０に記載のデータ伝送方法。
【請求項１３】
前記第１の制御情報はダウンリンク制御情報（ＤＣＩ）であり、前記サイドリンクはサイドリンク制御チャネル（ＰＳＣＣＨ）及び／又はサイドリンク共有チャネル（ＰＳＳＣＨ）を含む
ことを特徴とする請求項１に記載のデータ伝送方法。
【請求項１４】
プロセッサーと、
コンピュータプログラムを格納するメモリと、を備え、
前記プロセッサーは、前記メモリに格納されたコンピュータプログラムを呼び出して実行し、請求項１〜１３のいずれか１項に記載のデータ伝送方法を実行するように構成されている
ことを特徴とする端末デバイス。
【請求項１５】
コンピュータプログラム命令を含み、このコンピュータプログラム命令は、コンピュータに請求項１〜１３のいずれか１項に記載のデータ伝送方法を実行させる
ことを特徴とするコンピュータプログラム製品。
【国際調査報告】
2021533596.tif 000012
2021533596.tif 000013
2021533596.tif 000014
2021533596.tif 000015